(57)【要約】      （修正有）【課題】アクセサリをカメラボディに適正に使用可能な状態で装着する。【解決手段】ボディ側端子群と、ボディ側端子群の外側に配置されたボディ側マウントと、ボディ側第１直線とボディ側第１直線と直交するボディ側第２直線とで分割される領域に第１ボディ側突出部と第２ボディ側突出部と第３ボディ側突出部と前記第４ボディ側突出部とがそれぞれ配置されるカメラボディに対して着脱可能なアクセサリであって、アクセサリ側マウント３１０と、アクセサリ側マウントの円筒部３１２と、アクセサリ側端子群３２０と、アクセサリ側第１直線Ｌ１と略４５度で交差するアクセサリ側第３直線Ｌ３上に第１アクセサリ側突出部と第３アクセサリ側突出部とが配置され、アクセサリ側第３直線Ｌ３と直交するアクセサリ側第４直線Ｌ４上に第２アクセサリ側突出部と第４アクセサリ側突出部とが配置される。【選択図】図５
2019078921.tif 000002
【特許請求の範囲】
【請求項１】
カメラボディを横位置に構えた際に上辺と下辺および右辺と左辺を有する矩形状であって光軸を中心とした被写体光が入射する撮像素子と、前記撮像素子の前記上辺の上部に円弧状に配置された複数のボディ側端子からなるボディ側端子群と、前記撮像素子および前記ボディ側端子群の外側に配置された前記光軸を中心とする円環状のボディ側マウントと、前記ボディ側マウントから内径方向に向けて突出する第１ボディ側突出部と、前記ボディ側マウントから内径方向に向けて突出する第２ボディ側突出部と、前記ボディ側マウントから内径方向に向けて突出する第３ボディ側突出部と、前記ボディ側マウントから内径方向に向けて突出する第４ボディ側突出部と、を備え、前記ボディ側端子群の前記円弧方向の中心および前記光軸を通るボディ側第１直線と前記ボディ側第１直線と前記光軸において直交するボディ側第２直線とで分割される４つの領域に前記第１ボディ側突出部と前記第２ボディ側突出部と前記第３ボディ側突出部と前記第４ボディ側突出部とがそれぞれ配置されるカメラボディに対して着脱可能なアクセサリであって、
前記光軸を中心とする円環状であり、前記ボディ側マウントと接触するアクセサリ側マウントと、
前記アクセサリ側マウントの内周縁部から前記光軸方向に延びた円筒部と、
前記円筒部の内側に配置され、前記カメラボディに装着時に前記ボディ側端子と接触する複数のアクセサリ側端子からなるアクセサリ側端子群と、
前記円筒部から前記アクセサリ側マウントの外周方向に向けて突出し、前記光軸を中心とした円周方向に延在する第１アクセサリ側突出部と、
前記円筒部から前記アクセサリ側マウントの外周方向に向けて突出し、前記光軸を中心とした円周方向に延在する第２アクセサリ側突出部と、
前記円筒部から前記アクセサリ側マウントの外周方向に向けて突出し、前記光軸を中心とした円周方向に延在する第３アクセサリ側突出部と、
前記円筒部から前記アクセサリ側マウントの外周方向に向けて突出し、前記光軸を中心とした円周方向に延在する第４アクセサリ側突出部と、
を備え、
前記アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第２アクセサリ側突出部と前記第４アクセサリ側突出部が配置されるアクセサリ。
【請求項２】
前記第１アクセサリ側突出部と前記第２アクセサリ側突出部と前記第３アクセサリ側突出部と前記第４アクセサリ側突出部とは、前記光軸を中心とした円周方向に延在する請求項１に記載のアクセサリ。
【請求項３】
前記第１アクセサリ側突出部の前記円周方向の中心と前記第３アクセサリ側突出部の前記円周方向の中心との少なくとも一方は前記アクセサリ側第３直線と異なる位置に配置される請求項２に記載のアクセサリ。
【請求項４】
前記第２アクセサリ側突出部の前記円周方向の中心と前記第４アクセサリ側突出部の前記円周方向の中心との少なくとも一方は前記アクセサリ側第４直線と異なる位置に配置される請求項２または３に記載のアクセサリ。
【請求項５】
前記アクセサリ側第１直線と前記光軸において直交するアクセサリ側第２直線とで分割される４つの領域に前記第１アクセサリ側突出部と前記第２アクセサリ側突出部と前記第３アクセサリ側突出部と前記第４アクセサリ側突出部がそれぞれ配置される請求項２から４のいずれか一項に記載のアクセサリ。
【請求項６】
前記第１アクセサリ側突出部の前記円周方向の一端と前記光軸とを結ぶ直線と前記第１アクセサリ側突出部の前記円周方向の他端と前記光軸とを結ぶ直線とのなす第１中心角度と、前記第２アクセサリ側突出部の前記円周方向の一端と前記光軸とを結ぶ直線と前記第２アクセサリ側突出部の前記円周方向の他端と前記光軸とを結ぶ直線とのなす第２中心角度と、前記第３アクセサリ側突出部の前記円周方向の一端と前記光軸とを結ぶ直線と前記第３アクセサリ側突出部の前記円周方向の他端と前記光軸とを結ぶ直線とのなす第３中心角度と、前記第４アクセサリ側突出部の前記円周方向の一端と前記光軸とを結ぶ直線と前記第４アクセサリ側突出部の前記円周方向の他端と前記光軸とを結ぶ直線とのなす第４中心角度とは、少なくとも一つの中心角度が他の中心角度とは異なる請求項２から５のいずれか一項に記載のアクセサリ。
【請求項７】
前記第３アクセサリ側突出部の前記円周方向の一端と前記光軸とを結ぶ直線と前記第３アクセサリ側突出部の前記円周方向の他端と前記光軸とを結ぶ直線とのなす第３中心角度は、前記第１アクセサリ側突出部の前記円周方向の一端と前記光軸とを結ぶ直線と前記第１アクセサリ側突出部の前記円周方向の他端と前記光軸とを結ぶ直線とのなす第１中心角度より大きく、
前記第１中心角度は、前記第４アクセサリ側突出部の前記円周方向の一端と前記光軸とを結ぶ直線と前記第４アクセサリ側突出部の前記円周方向の他端と前記光軸とを結ぶ直線とのなす第４中心角度より大きく、
前記第４中心角度は、前記第２アクセサリ側突出部の前記円周方向の一端と前記光軸とを結ぶ直線と前記第２アクセサリ側突出部の前記円周方向の他端と前記光軸とを結ぶ直線とのなす第２中心角度より大きい請求項２から５のいずれか一項に記載のアクセサリ。
【請求項８】
前記アクセサリは、光軸上の所定位置で、前記第１アクセサリ側突出部から前記第４アクセサリ側突出部が対応する各ボディ側突出部の間に挿入される挿入位置から、前記第１アクセサリ側突出部から前記第４アクセサリ側突出部がそれぞれ対応する各ボディ側突出部に対向する装着位置まで、前記光軸上の所定位置で光軸に略直交する面内において第１方向に第１角度回転させることにより前記カメラボディに装着される請求項２から７のいずれか一項に記載のアクセサリ。
【請求項９】
前記挿入位置とは光軸上の位置が異なる誤挿入位置において、前記第１アクセサリ側突出部と前記第２アクセサリ側突出部と前記第３アクセサリ側突出部と前記第４アクセサリ側突出部のうちの少なくとも２つは、前記第１ボディ側突出部と前記第２ボディ側突出部と前記第３ボディ側突出部と前記第４ボディ側突出部のうちの少なくとも２つと対向する請求項８に記載のアクセサリ。
【請求項１０】
前記挿入位置とは光軸上の位置が異なる誤挿入位置において、前記第１アクセサリ側突出部と前記第２アクセサリ側突出部と前記第３アクセサリ側突出部と前記第４アクセサリ側突出部のうちのいずれか１つは、前記ボディ側端子群の上部に位置する前記第１ボディ側突出部と対向する請求項８または９に記載のアクセサリ。
【請求項１１】
前記挿入位置とは光軸上の位置が異なる誤挿入位置において、前記アクセサリ側端子群の中心に最も近い前記第１アクセサリ側突出部は、前記第１ボディ側突出部と前記第２ボディ側突出部と前記第３ボディ側突出部と前記第４ボディ側突出部のうちの少なくとも１つと対向する請求項８から１０のいずれか一項に記載のアクセサリ。
【請求項１２】
前記第１アクセサリ側突出部と前記第２アクセサリ側突出部と前記第３アクセサリ側突出部と前記第４アクセサリ側突出部との少なくとも一つは、前記円周方向の一端と前記光軸とを結ぶ直線と前記円周方向の他端と前記光軸とを結ぶ直線とのなす中心角度が、前記第１角度より小さい請求項８から１１のいずれか一項に記載のアクセサリ。
【請求項１３】
前記アクセサリは、交換レンズである請求項１から１０のいずれか一項に記載のアクセサリ。
【請求項１４】
カメラボディを横位置に構えた際に上辺および下辺を有する矩形状であって光軸を中心とした被写体光が入射する撮像素子と、前記撮像素子の前記上辺の上部に円弧状に配置された複数のボディ側端子からなるボディ側端子群と、前記撮像素子および前記ボディ側端子群の外側に配置された前記光軸を中心とする円環状のボディ側マウントと、を備えるカメラボディに対して着脱可能なアクセサリであって、
前記光軸を中心とする円環状であり、前記ボディ側マウントと接触するアクセサリ側マウントと、
前記アクセサリ側マウントの内周縁部から前記光軸方向に延びた円筒部と、
前記円筒部の内側に配置され、前記カメラボディに装着時に前記ボディ側端子と接触する複数のアクセサリ側端子からなるアクセサリ側端子群と、
前記円筒部から前記アクセサリ側マウントの外周方向に向けて突出し、前記光軸を中心とした円周方向に延在する第１アクセサリ側突出部と、
前記円筒部から前記アクセサリ側マウントの外周方向に向けて突出し、前記光軸を中心とした円周方向に延在する第２アクセサリ側突出部と、
前記円筒部から前記アクセサリ側マウントの外周方向に向けて突出し、前記光軸を中心とした円周方向に延在する第３アクセサリ側突出部と、
前記円筒部から前記アクセサリ側マウントの外周方向に向けて突出し、前記光軸を中心とした円周方向に延在する第４アクセサリ側突出部と、
を備え、
アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第３アクセサリ側突出部と前記第４アクセサリ側突出部が配置されるアクセサリ。
【請求項１５】
前記アクセサリは、光軸上の所定位置で、前記第１アクセサリ側突出部から前記第４アクセサリ側突出部が対応する複数のボディ側突出部の間に挿入される挿入位置から、前記第１アクセサリ側突出部から前記第４アクセサリ側突出部がそれぞれ対応する各ボディ側突出部に対向する装着位置まで、前記光軸上の所定位置で光軸に略直交する面内において第１方向に第１角度回転させることにより前記カメラボディに装着される請求項１４に記載のアクセサリ。
【請求項１６】
前記挿入位置とは光軸上の位置が異なる誤挿入位置において、前記第１アクセサリ側突出部と前記第２アクセサリ側突出部と前記第３アクセサリ側突出部と前記第４アクセサリ側突出部のうちの少なくとも２つは、前記複数のボディ側突出部のうちの少なくとも２つと対向する請求項１５に記載のアクセサリ。
【請求項１７】
前記挿入位置とは光軸上の位置が異なる誤挿入位置において、前記第１アクセサリ側突出部と前記第２アクセサリ側突出部と前記第３アクセサリ側突出部と前記第４アクセサリ側突出部のうちのいずれか１つは、前記ボディ側端子群の上部に位置する前記複数のボディ側突出部の１つと対向する請求項１５または１６に記載のアクセサリ。
【請求項１８】
前記挿入位置とは光軸上の位置が異なる誤挿入位置において、前記アクセサリ側端子群の中心に最も近い前記第１アクセサリ側突出部は、前記複数のボディ側突出部のうちの少なくとも１つと対向する請求項１５から１７のいずれか一項に記載のアクセサリ。
【発明の詳細な説明】
【技術分野】
【０００１】
本発明は、アクセサリに関する。
【背景技術】
【０００２】
カメラボディに着脱可能なアクセサリが知られている（例えば特許文献１）。従来から、カメラボディにアクセサリを適正に使用可能な状態で装着する必要があった。
【先行技術文献】
【特許文献】
【０００３】
【特許文献１】特開平８−４３９１０号公報
【発明の概要】
【０００４】
発明の第１の態様によるアクセサリは、カメラボディを横位置に構えた際に上辺と下辺および右辺と左辺を有する矩形状であって光軸を中心とした被写体光が入射する撮像素子と、前記撮像素子の前記上辺の上部に円弧状に配置された複数のボディ側端子からなるボディ側端子群と、前記撮像素子および前記ボディ側端子群の外側に配置された前記光軸を中心とする円環状のボディ側マウントと、前記ボディ側マウントから内径方向に向けて突出する第１ボディ側突出部と、前記ボディ側マウントから内径方向に向けて突出する第２ボディ側突出部と、前記ボディ側マウントから内径方向に向けて突出する第３ボディ側突出部と、前記ボディ側マウントから内径方向に向けて突出する第４ボディ側突出部と、を備え、前記ボディ側端子群の前記円弧方向の中心および前記光軸を通るボディ側第１直線と前記ボディ側第１直線と前記光軸において直交するボディ側第２直線とで分割される４つの領域に前記第１ボディ側突出部と前記第２ボディ側突出部と前記第３ボディ側突出部と前記第４ボディ側突出部とがそれぞれ配置されるカメラボディに対して着脱可能なアクセサリであって、前記光軸を中心とする円環状であり、前記ボディ側マウントと接触するアクセサリ側マウントと、前記アクセサリ側マウントの内周縁部から前記光軸方向に延びた円筒部と、前記円筒部の内側に配置され、前記カメラボディに装着時に前記ボディ側端子と接触する複数のアクセサリ側端子からなるアクセサリ側端子群と、前記円筒部から前記アクセサリ側マウントの外周方向に向けて突出し、前記光軸を中心とした円周方向に延在する第１アクセサリ側突出部と、前記円筒部から前記アクセサリ側マウントの外周方向に向けて突出し、前記光軸を中心とした円周方向に延在する第２アクセサリ側突出部と、前記円筒部から前記アクセサリ側マウントの外周方向に向けて突出し、前記光軸を中心とした円周方向に延在する第３アクセサリ側突出部と、前記円筒部から前記アクセサリ側マウントの外周方向に向けて突出し、前記光軸を中心とした円周方向に延在する第４アクセサリ側突出部と、を備え、前記アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第２アクセサリ側突出部と前記第４アクセサリ側突出部が配置される。
発明の第２の態様によるアクセサリは、カメラボディを横位置に構えた際に上辺および下辺を有する矩形状であって光軸を中心とした被写体光が入射する撮像素子と、前記撮像素子の前記上辺の上部に円弧状に配置された複数のボディ側端子からなるボディ側端子群と、前記撮像素子および前記ボディ側端子群の外側に配置された前記光軸を中心とする円環状のボディ側マウントと、を備えるカメラボディに対して着脱可能なアクセサリであって、前記光軸を中心とする円環状であり、前記ボディ側マウントと接触するアクセサリ側マウントと、前記アクセサリ側マウントの内周縁部から前記光軸方向に延びた円筒部と、前記円筒部の内側に配置され、前記カメラボディに装着時に前記ボディ側端子と接触する複数のアクセサリ側端子からなるアクセサリ側端子群と、前記円筒部から前記アクセサリ側マウントの外周方向に向けて突出し、前記光軸を中心とした円周方向に延在する第１アクセサリ側突出部と、前記円筒部から前記アクセサリ側マウントの外周方向に向けて突出し、前記光軸を中心とした円周方向に延在する第２アクセサリ側突出部と、前記円筒部から前記アクセサリ側マウントの外周方向に向けて突出し、前記光軸を中心とした円周方向に延在する第３アクセサリ側突出部と、前記円筒部から前記アクセサリ側マウントの外周方向に向けて突出し、前記光軸を中心とした円周方向に延在する第４アクセサリ側突出部と、を備え、アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第３アクセサリ側突出部と前記第４アクセサリ側突出部が配置される。
【図面の簡単な説明】
【０００５】
【図１】カメラシステムの構成を模式的に示す断面図である。
【図２】交換レンズ側から見たカメラボディのマウント面の正面図である。
【図３】交換レンズ側から見たカメラボディのマウント面の正面図である。
【図４】ボディ側マウントにおける板バネの正面図である。
【図５】カメラボディ側から見た交換レンズのマウント面の正面図である。
【図６】カメラボディ側から見た交換レンズのマウント面の正面図である。
【図７】交換レンズのマウント面の斜視図である。
【図８】交換レンズ側から見た、挿入位置におけるボディ側爪部とレンズ側爪部の正面図である。
【図９】交換レンズ側から見た、装着位置におけるボディ側爪部とレンズ側爪部の正面図である。
【図１０】交換レンズ側から見た、装着方向の過回転状態におけるボディ側爪部とレンズ側爪部との正面図と側面図である。
【図１１】交換レンズ側から見た、取り外し方向の過回転状態におけるボディ側爪部とレンズ側爪部との側面図である。
【図１２】交換レンズ側から見た、第１誤挿入状態におけるボディ側爪部とレンズ側爪部との正面図である。
【図１３】交換レンズ側から見た、第２誤挿入状態、第３誤挿入状態、第４誤挿入状態におけるボディ側爪部とレンズ側爪部との正面図である。
【発明を実施するための形態】
【０００６】
図１は、発明の一実施の形態に係るカメラシステム１の構成の概略を示す断面図である。カメラシステム１は、カメラボディ２と、カメラボディ２に着脱可能なアクセサリの一例としての交換レンズ３とを含む。カメラボディ２に着脱可能な他のアクセサリの例は、マウントアダプター、テレコンバーター、ワイドコンバーターなどが挙げられる。
【０００７】
交換レンズ３は、レンズ側マウント３１０、レンズ側端子保持部３２０、レンズ側ＣＰＵ３３０、レンズ側通信部３４０、レンズ側記憶部３５０、撮像光学系３６０、および駆動部３７０を有する。レンズ側マウント３１０およびレンズ側端子保持部３２０については後に詳述する。
【０００８】
レンズ側ＣＰＵ３３０は、マイクロコンピュータおよびその周辺回路等から構成される。レンズ側通信部３４０は、カメラボディ２との間で所定のデータ通信を行う。レンズ側通信部３４０は、レンズ側端子保持部３２０に設けられたレンズ側端子（後述）とレンズ側ＣＰＵ３３０とに接続される。レンズ側記憶部３５０は不揮発性の記憶媒体である。レンズ側記憶部３５０は、レンズ側ＣＰＵ３３０に接続される。レンズ側記憶部３５０には、レンズ側ＣＰＵ３３０が実行する所定の制御プログラム等が予め記憶される。レンズ側ＣＰＵ３３０は、レンズ側記憶部３５０から制御プログラムを読み込んでプログラムを実行することにより、交換レンズ３の制御を行う。
【０００９】
撮像光学系３６０は、後述する撮像素子２７０の撮像面に被写体像を結像させる。撮像光学系３６０の光軸Ｏは、レンズ側マウント３１０および後述するボディ側マウント２１０の中心位置と一致する。図１の撮像光学系３６０は、概略的にレンズ３６１、フォーカシングレンズ３６２、およびレンズ３６３を含む。フォーカシングレンズ３６２は、被写体像の結像位置を調節するレンズである。駆動部３７０は、レンズ側ＣＰＵ３３０に接続され、不図示のアクチュエータ等を有する。駆動部３７０は、このアクチュエータ等により、フォーカシングレンズ３６２を光軸Ｏの方向（＋Ｚ、−Ｚ方向）に進退移動させる。
【００１０】
カメラボディ２は、ボディ側マウント２１０、ボディ側端子保持部２２０、ボディ側ＣＰＵ２３０、ボディ側通信部２４０、ボディ側記憶部２５０、給電部２６０、および撮像素子２７０を有する。ボディ側マウント２１０およびボディ側端子保持部２２０については後に詳述する。
【００１１】
ボディ側ＣＰＵ２３０は、マイクロコンピュータおよびその周辺回路等から構成される。尚、ボディ側ＣＰＵ２３０は、ボディの種々の制御を行う。ボディ側通信部２４０は、交換レンズ３との間で所定のデータ通信を行う。ボディ側通信部２４０は、ボディ側端子保持部２２０に設けられた複数のボディ側端子（後述）とボディ側ＣＰＵ２３０とに接続される。
【００１２】
ボディ側記憶部２５０は不揮発性の記憶媒体である。ボディ側記憶部２５０は、ボディ側ＣＰＵ２３０に接続される。ボディ側記憶部２５０には、ボディ側ＣＰＵ２３０が実行する所定の制御プログラム等が予め記憶される。ボディ側ＣＰＵ２３０は、ボディ側記憶部２５０から制御プログラムを読み込んでプログラムを実行することにより、カメラボディ２の制御を行う。
【００１３】
給電部２６０は電源を有し、カメラボディ２内および交換レンズ３に対して電力の供給を行う。給電部２６０は、ボディ側端子保持部２２０に設けられたボディ側端子（後述）とボディ側ＣＰＵ２３０とに接続される。撮像素子２７０は、例えばＣＣＤやＣＭＯＳ等の固体撮像素子である。撮像素子２７０は、ボディ側ＣＰＵ２３０に接続され、被写体を撮像して撮像信号を出力する。出力された撮像信号の処理については説明を省略する。
【００１４】
（レンズマウント機構の説明）
本実施の形態のカメラシステム１は、いわゆるバヨネット式のレンズマウント機構を備える。以下、カメラボディ２が有するボディ側マウント２１０と、交換レンズ３が有するレンズ側マウント３１０とについて順に説明する。
【００１５】
（ボディ側マウント２１０）
図２、図３は、交換レンズ３側から見たカメラボディ２のマウントを模式的に示す図である。図２、３は、カメラボディ２を横位置に構えた状態を示す。図２に示すように、矩形状の撮像素子２７０は、カメラボディ２を横位置に構えた際に、横長すなわち長辺が上辺と下辺になり、短辺が右辺と左辺になる。図２に実線で示す、カメラボディ２の垂直方向Ｙに延びるボディ側第１直線Ｂ１は、カメラシステム１を使用する撮影者がカメラボディ２を横位置に構えた際に、撮影者から見た上下方向である。図２に実線で示す、カメラボディ２の水平方向Ｘに延びるボディ側第２直線Ｂ２は、カメラシステム１を使用する撮影者がカメラボディ２を横位置に構えた際に、撮影者から見た左右方向である。
【００１６】
ボディ側第１直線Ｂ１とボディ側第２直線Ｂ２とは光軸Ｏ（中心）上で直交する。図２に一点鎖線で示すように、ボディ側第１直線Ｂ１およびボディ側第２直線Ｂ２と撮像素子２７０の光軸Ｏ上で４５度で交差する方向に延びる線を、ボディ側第３直線Ｂ３、ボディ側第４直線Ｂ４とする。
【００１７】
カメラボディ２のマウントは、図１で前述したボディ側マウント２１０およびボディ側端子保持部２２０を備える。ボディ側マウント２１０は、一定の幅を有し光軸Ｏと直交する面に沿って配置される環状の基準面２１１を有する。さらにボディ側マウント２１０は、ボディ側第１爪部２９０ａ、ボディ側第２爪部２９０ｂ、ボディ側第３爪部２９０ｃ、およびボディ側第４爪部２９０ｄを有する。
以下の説明において、これら４つの突出部であるボディ側第１爪部２９０ａ〜第４爪部２９０ｄを、ボディ側爪部２９０と総称する。
【００１８】
ボディ側爪部２９０は、ボディ側マウント２１０の円形の開口２１２に沿って、互いに間隔を置いて配置される。図２に示すように、ボディ側第１爪部２９０ａは右上の位置に、ボディ側第２爪部２９０ｂは左上の位置に、ボディ側第３爪部２９０ｃは左下の位置に、ボディ側第４爪部２９０ｄは右下の位置に、それぞれ配置される。ボディ側第１爪部２９０ａはボディ側第２直線Ｂ２より上側でかつボディ側第１直線Ｂ１の右側の領域に、ボディ側第２爪部２９０ｂはボディ側第２直線Ｂ２より上側でかつボディ側第１直線Ｂ１の左側の領域に、ボディ側第３爪部２９０ｃはボディ側第２直線Ｂ２より下側でかつボディ側第１直線Ｂ１の左側の領域に、ボディ側第４爪部２９０ｄはボディ側第２直線Ｂ２より下側でかつボディ側第１直線Ｂ１の右側の領域に、それぞれ配置される。
【００１９】
ボディ側第１爪部２９０ａとボディ側第３爪部２９０ｃは、ボディ側第４直線Ｂ４の線上であって光軸Ｏを中心にして略対象となる領域に、それぞれ配置される。ボディ側第２爪部２９０ｂとボディ側第４爪部２９０ｄは、ボディ側第３直線Ｂ３の線上であって光軸Ｏを中心として略対象となる領域に、それぞれ配置される。
なお、図２に示すように、ボディ側第１爪部２９０ａ〜ボディ側第４爪部２９０ｄそれぞれの円周方向に沿った中心位置は、ボディ側第３直線Ｂ３、ボディ側第４直線Ｂ４とは重ならない。
【００２０】
図３に示すように、ボディ側第１爪部２９０ａ〜ボディ側第４爪部２９０ｄの円周方向の長さは、それぞれ異なっている。具体的には、ボディ側第１爪部２９０ａが最も長く、ボディ側第３爪部２９０ｃが２番目に長く、ボディ側第４爪部２９０ｄが３番目に長く、ボディ側第２爪部２９０ｂが最も短い。
ボディ側第１爪部２９０ａの一端と光軸Ｏとを結ぶ直線と、ボディ側第１爪部２９０ａの他端と光軸Ｏとを結ぶ直線とのなす角度α１は約４７度であり、４６．５度から４７．５度の間である。
ボディ側第３爪部２９０ｃの一端と光軸Ｏとを結ぶ直線と、ボディ側第３爪部２９０ｃの他端と光軸Ｏとを結ぶ直線とのなす角度α３は約４２．５度であり、４２．０度から４３．０度の間である。
【００２１】
ボディ側第４爪部２９０ｄの一端と光軸Ｏとを結ぶ直線と、ボディ側第４爪部２９０ｄの他端と光軸Ｏとを結ぶ直線とのなす角度α４は約４２度であり、４１．５度から４２．５度の間である。
ボディ側第２爪部２９０ｂの一端と光軸Ｏとを結ぶ直線と、ボディ側第２爪部２９０ｂの他端と光軸Ｏとを結ぶ直線とのなす角度α２は約４０度であり、４０．０度から４１．０度の間である。
ボディ側第１爪部２９０ａ〜ボディ側第４爪部２９０ｄの径方向の長さ（爪部の高さ）は、それぞれ同じである。また、ボディ側第１爪部２９０ａ〜ボディ側第４爪部２９０ｄの光軸Ｏ方向の長さ（爪部の厚み）は、それぞれ同じである。
【００２２】
ボディ側爪部２９０は、ボディ側マウント２１０の開口２１２から光軸Ｏ（撮像素子２７０の中心）に向かって突出し、開口２１２の円周上には、ボディ側爪部２９０が存在する部分と、ボディ側爪部２９０が存在しない部分がある。以下の説明において、ボディ側マウント２１０の開口２１２の円周上における、ボディ側第１爪部２９０ａとボディ側第４爪部２９０ｄとの間の空間２８０ａをボディ側第１挿抜部２８０ａと称する。
【００２３】
同様に、ボディ側第１爪部２９０aとボディ側第１爪部２９０ｂとの間の空間２８０ｂをボディ側第２挿抜部２８０ｂ、ボディ側第２爪部２９０ｂとボディ側第３爪部２９０ｃとの間の空間２８０ｃをボディ側第３挿抜部２８０ｃ、ボディ側第３爪部２９０ｃとボディ側第４爪部２９０ｄとの間の空間２８０ｄをボディ側第４挿抜部２８０ｄと、それぞれ称する。これら４つの空間であるボディ側第１挿抜部２８０ａ〜第４挿抜部２８０ｄを、ボディ側挿抜部２８０と総称する。
【００２４】
ボディ側第１挿抜部２８０ａ〜ボディ側第４挿抜部２８０ｄの円周方向の長さは、それぞれ異なっている。具体的には、ボディ側第３挿抜部２８０ｃが最も長く、ボディ側第１挿抜部２８０ａが２番目に長く、ボディ側第４挿抜部２８０ｄが３番目に長く、ボディ側第２挿抜部２８０ｂが最も短い。
ボディ側第３挿抜部２８０ｃの一端と光軸Ｏとを結ぶ直線と、ボディ側第３挿抜部２８０ｃの他端と光軸Ｏとを結ぶ直線とのなす角度β３は約５１度であり５１．０度から５２．０度の間である。
ボディ側第１挿抜部２８０ａの一端と光軸Ｏとを結ぶ直線と、ボディ側第１挿抜部２８０ａの他端と光軸Ｏとを結ぶ直線とのなす角度β１は約５０度であり、５０．０度から５１．０度の間である。
【００２５】
ボディ側第４挿抜部２８０ｄの一端と光軸Ｏとを結ぶ直線と、ボディ側第４挿抜部２８０ｄの他端と光軸Ｏとを結ぶ直線とのなす角度β４は約４６度であり、４５．５度から４６．５度の間である。
ボディ側第２挿抜部２８０ｂの一端と光軸Ｏとを結ぶ直線と、ボディ側第２挿抜部２８０ｂの他端と光軸Ｏとを結ぶ直線とのなす角度β２は約３９度であり、３９．０度から４０．０度の間である。
もちろん、４つのボディ側第１爪部２９０ａ〜ボディ側第４爪部２９０ｄの角度α１〜α４と、４つのボディ側第１挿抜部２８０ａ〜ボディ側第４挿抜部２８０ｄの角度β１〜β４とを合計した値は３６０度である。
【００２６】
ボディ側第１挿抜部２８０ａはボディ側第３直線Ｂ３の上側でかつボディ側第４直線Ｂ４の下側の領域に、ボディ側第２挿抜部２８０ｂはボディ側第３直線Ｂ３の上側でかつボディ側第４直線Ｂ４の上側の領域に、ボディ側第３挿抜部２８０ｃはボディ側第３直線Ｂ３の下側でかつボディ側第４直線Ｂ４の上側の領域に、ボディ側第４挿抜部２８０ｄはボディ側第３直線Ｂ３の下側でかつボディ側第４直線Ｂ４の下側の領域に、それぞれ配置される。
【００２７】
ボディ側第１挿抜部２８０ａとボディ側第３挿抜部２８０ｃは、ボディ側第２直線Ｂ２の線上であって光軸Ｏを中心として略対象となる領域に、それぞれ配置される。ボディ側第２挿抜部２８０ｂとボディ側第４挿抜部２８０ｄは、ボディ側第１直線Ｂ１の線上であって光軸Ｏを中心として略対象となる領域に、それぞれ配置される。
なお、図２に示すように、ボディ側第１挿抜部２８０ａ〜ボディ側第４挿抜部２８０ｄそれぞれの円周方向に沿った中心位置は、ボディ側第１直線、ボディ側第２直疎遠Ｂ２とは重ならない。
【００２８】
ボディ側マウント２１０の開口２１２の内側には、複数のボディ側端子からなるボディ側端子保持部２２０が設けられる。ボディ側端子保持部２２０は、環状のボディ側マウント２１０の形状に対応する円弧状の形状を有する。ボディ側端子保持部２２０は、ボディ側マウント２１０の開口２１２の内周側であって撮像素子２７０の上部に配置され、図２および図３に示すように撮像素子２７０の上部の中央に配置することが好ましい。つまり、ボディ側端子保持部２２０の周方向における中心は、ボディ側第１直線Ｂ１上に位置するのが好ましい。
【００２９】
ボディ側端子保持部２２０の右上にはボディ側第１爪部２９０ａが配置され、ボディ側端子保持部２２０の左上にはボディ側第２挿抜部２８０ｂが配置される。よって、ボディ側端子保持部２２０の一端と光軸Ｏとを結ぶ直線と、ボディ側端子保持部２２０の他端と光軸Ｏとを結ぶ直線とのなす角度は、ボディ側第１爪部２９０ａの角度α１とボディ側第２挿抜部２８０ｂの角度β２とを合わせた角度より小さい。
【００３０】
ボディ側端子保持部２２０は、上述したように複数のボディ側端子を有する。複数のボディ側端子（ボディ側端子群と称する）は、撮像素子２７０の上辺の上部に円弧状に並べて配置される。ボディ側端子群は、それぞれ導電性のピンである。ボディ側端子群は、不図示のバネ等により、−Ｚ方向（図１）に向かって押されている。
ここで、−Ｚ方向とはすなわち、カメラボディ２から交換レンズ３に向かう方向であり、被写体へ向かう方向である。また、＋Ｚ方向とはすなわち、交換レンズ３からカメラボディ２へ向かう方向であり、撮像素子２７０へ向かう方向である。
【００３１】
ボディ側マウント２１０は、ロックピン２１４が貫通する孔を有する。ロックピン２１４が貫通する孔は、ボディ側第４爪部２９０ｄの右上に配置される。つまり、ボディ側マウント２１０の環状の基準面２１１において、ロックピン２１４の孔は、ボディ側第４爪部２９０ｄが存在する領域とボディ側第１爪部２９０ａが存在する領域との間に配置される。ロックピン２１４は、不図示のバネ等により、−Ｚ方向（被写体側）に向かって押されている。ロックピン２１４は、不図示のロック解除ボタンを押すことにより、バネの付勢力に抗って＋Ｚ方向（撮像素子２７０側）に移動可能である。
【００３２】
図４は、ボディ側マウント２１０を取り外したカメラボディ２のマウントを交換レンズ３側からみた模式図である。第１ボディ側爪部２９０ａと対応した位置（第１ボディ側爪部２９０ａの裏側）には、第１板バネ２１３ａが設けられる。
同様に、第２ボディ側爪部２９０ｂと対応した位置（第２ボディ側爪部２９０ｂの裏側）には、第２板バネ２１３ｂが設けられ、第３ボディ側爪部２９０ｃと対応した位置（第３ボディ側爪部２９０ｃの裏側）には、第３板バネ２１３ｃが設けられ、第４ボディ側爪部２９０ｄと対応した位置（第４ボディ側爪部２９０ｄの裏側）には、第４板バネ２１３ｄが設けられる。
以下の説明において、これら４つの第１板バネ２１３ａ〜第４板バネ２１３ｄを、板バネ２１３と総称する。板バネ２１３は、ボディ側爪部２９０の撮像素子２７０側の面に配置され、対向するレンズ側爪部（後述）３９０の被写体側の面を撮像素子２７０側（＋Ｚ方向）に押し付ける。
【００３３】
図４に示すように、光軸Ｏと第１板バネ２１３ａの装着方向４４（後述）の後端部とを結ぶ直線Ｂ５付近に、ボディ側端子保持部２２０の装着方向４４の後端部が配置される。第２板バネ２１３ｂ、第３板バネ２１３ｃ、第４板バネ２１３ｄは、第１板バネ２１３ａを起点として光軸Ｏ周りに略９０度間隔で配置される。
【００３４】
（レンズ側マウント３１０）
図５、図６は、カメラボディ２側から見た（交換レンズ３の後ろから見た）交換レンズ３のマウントを模式的に示す図である。図５に実線で示す、交換レンズ３の垂直方向Ｙに延びるレンズ側第１直線Ｌ１は、カメラシステム１を使用する撮影者がカメラボディ２を横位置に構えた際に、撮影者から見た上下方向である。また、図５に実線で示す、交換レンズ３の水平方向Ｘに延びるレンズ側第２直Ｌ２線は、カメラシステム１を使用する撮影者がカメラボディ２を横位置に構えた際に、撮影者から見た左右方向である。
【００３５】
レンズ側第１直線Ｌ１とレンズ側第２直線Ｌ２とは交換レンズ３の光軸Ｏ（中心）上で直交する。図５に一点鎖線で示すように、レンズ側第１直線Ｌ１およびレンズ側第２直線Ｌ２と光軸Ｏ上で４５度で交差する方向に延びる線を、レンズ側第３直線Ｌ３、レンズ側第４直線Ｌ４とする。カメラボディ２に交換レンズ３を使用可能状態で装着した際は、ボディ側第１直線Ｂ１とレンズ側第１直線Ｌ１とが一致し、ボディ側第２直線Ｂ２とレンズ側第２直線Ｌ２とが一致し、ボディ側第３直線Ｂ３とレンズ側第４直線Ｌ４とが一致し、ボディ側第４直線Ｂ４とレンズ側第３直線Ｌ３とが一致する。なお、各直線同士は完全に一致しなくとも、交換レンズ３をカメラボディ２に適正に使用可能な状態で装着できる範囲でズレが生じていてもよい。
【００３６】
交換レンズ３のマウントは、図１で前述したレンズ側マウント３１０およびレンズ側端子保持部３２０を備える。レンズ側マウント３１０は、交換レンズ３の光軸Ｏを中心とする円環形状に形成され、光軸Ｏと直交する面に沿って配置される。レンズ側マウント３１０は、カメラボディ２に交換レンズ３を装着した際に、ボディ側マウント２１０の基準面２１１と接触する基準面３１１を有する。基準面３１１は、光軸Ｏを中心とする円環形状であり、光軸Ｏと直交する面に沿って配置される。基準面３１１の光軸Ｏ方向後端面には、後述するロックピン２１４が装着中状態で摺動されるロックピン用摺動面３０９が、Ｚ方向に沿った断面上で−Ｚ方向に向かって凹形状に形成されている。ロックピン用摺動面３０９は、光軸Ｏを中心とする円環形状であり、光軸Ｏを直交する面に沿って配置される。
【００３７】
レンズ側マウント３１０は、交換レンズ３の内部に配置される固定部材に対してビス３１３を用いてビス止めすることにより固定される。レンズ側マウント３１０をカメラボディ２側から見た場合、ビス３１３は光軸Ｏ周りに略９０度間隔で配置されている。また、４つのビス３１３は後述する４つのレンズ側爪部３９０の外周にそれぞれ配置されている。また、ビス３１３はレンズ側端子保持部３２０の周方向における両端部の外周に配置されている。
【００３８】
レンズ側マウント３１０は、その内周縁部（基準面３１１の内周縁部）から光軸Ｏ方向に延びた円筒部３１２を有する。カメラボディ２に交換レンズ３を装着した際に、円筒部３１２の光軸Ｏ方向後端は、基準面３１１よりもカメラボディ２側に突出する方向に位置する。レンズ側マウント３１０は、円筒部３１２の光軸Ｏ方向の後端部の外周に沿って互いに間隔を置いてレンズ側第１爪部３９０ａ、レンズ側第２爪部３９０ｂ、レンズ側第３爪部３９０ｃ、およびレンズ側第４爪部３９０ｄを有する。
以下の説明において、これら４つの突出部であるレンズ側第１爪部３９０ａ〜第４爪部３９０ｄを、レンズ側爪部３９０と総称する。
【００３９】
レンズ側爪部３９０は、レンズ側マウント３１０の円筒部３１２の外周縁部からレンズ側マウント３１０の外周方向に向かって突出する方向に設けられ、光軸Ｏに対して略直交する。また、レンズ側爪部３９０は、光軸Ｏを中心とした円周方向に延在する。図５および図６に示すように、レンズ側第１爪部３９０ａは左上の位置に、レンズ側第２爪部３９０ｂは右上の位置に、レンズ側第３爪部３９０ｃは右下の位置に、レンズ側第４爪部３９０ｄは左下の位置に、それぞれ配置される。つまり、レンズ側第１爪部３９０ａはレンズ側第２直線Ｌ２より上側でかつレンズ側第１直線Ｌ１の左側の領域に、レンズ側第２爪部３９０ｂはレンズ側第２直線Ｌ２より上側でかつレンズ側第１直線Ｌ１の右側の領域に、レンズ側第３爪部３９０ｃはレンズ側第２直線Ｌ２より下側でかつレンズ側第１直線Ｌ１の右側の領域に、レンズ側第４爪部３９０ｄはレンズ側第２直線Ｌ２より下側でかつレンズ側第１直線Ｌ１の左側の領域に、それぞれ配置される。
【００４０】
また、レンズ側第１爪部３９０ａとレンズ側第３爪部３９０ｃは、レンズ側第３直線Ｌ３の線上であって光軸Ｏを中心にして略対象となる領域に、レンズ側第２爪部３９０ｂとレンズ側第４爪部３９０ｄは、レンズ側第４直線Ｌ４の線上であって光軸Ｏを中心として略対象となる領域に、それぞれ配置される。
なお、レンズ側第３直線Ｌ３、レンズ側第４直線Ｌ４は、レンズ側第１爪部３９０ａ〜レンズ側第４爪部３９０ｄそれぞれの円周方向に沿った中心位置を通るとは限らない。
【００４１】
カメラボディ２に交換レンズ３を装着した際、光軸Ｏ方向において、レンズ側マウント３１０とレンズ側爪部３９０との間にはボディ側爪部２９０が配置される。この際、レンズ側第１爪部３９０ａはボディ側第１爪部２９０ａの板バネ２１３ａに接触し、レンズ側第２爪部３９０ｂはボディ側第２爪部２９０ｂの板バネ２１３ｂに接触し、レンズ側第３爪部３９０ｃはボディ側第３爪部２９０ｃの板バネ２１３ｃに接触し、レンズ側第４爪部３９０ｄはボディ側第４爪部２９０ｄの板バネ２１３ｄに接触する。
【００４２】
レンズ側爪部３９０は、板バネ２１３に接触されてボディ側爪部２９０から離れる方向に付勢される接触部としての被付勢部を有する。なお、被付勢部の形状は、レンズ側爪部３９０が板バネ２１３から十分な付勢力を受けられればよく、板バネ２１３と被付勢部との接触は、点接触、線接触、面接触のいずれでもよい。板バネ２１３の形状や材質は、レンズ側爪部３９０を十分押し付けることができればよく、適宜変更可能である。
【００４３】
ボディ側爪部２９０の板バネ２１３とレンズ側爪部３９０とが接触すると、レンズ側爪部３９０は、板バネ２１３から光軸Ｏに沿ってボディ側爪部２９０から離れる方向（＋Ｚ方向）に押し付けられる。レンズ側爪部３９０が＋Ｚ方向（撮像素子２７０側）に押し付けられることにより、レンズ側マウント３１０はボディ側マウント２１０に向かって押し付けられ、カメラボディ２と交換レンズ３との装着が安定する。
【００４４】
なお、レンズ側爪部３９０とボディ側爪部２９０とは、円周方向の長さを一致させる必要は無く、レンズ側爪部３９０の円周方向の長さは、板バネ２１３が押し付けることができる範囲で変更可能である。また、カメラボディ２に交換レンズ３が装着された状態で、レンズ側爪部３９０の全面とボディ側爪部２９０の全面とが対向する必要はなく、レンズ側爪部の周方向端部の位置がボディ側爪部の周方向端部の位置と異なっていてもよい。
また、レンズ側爪部３９０とボディ側挿抜部２８０とは、円周方向の長さを略一致させる必要は無く、ボディ側挿抜部２８０の円周方向の長さに対して挿入されるレンズ側爪部３９０の円周方向の長さが、それ以下ならばよい。
同様に、ボディ側爪部２９０とレンズ側挿抜部３８０とは、円周方向の長さを一致させる必要は無く、レンズ側挿抜部３８０の円周方向の長さに対して挿入されるボディ側爪部２９０の円周方向の長さが、それ以下ならばよい。
【００４５】
図６に示すように、レンズ側第１爪部３９０ａ〜レンズ側第４爪部３９０ｄの円周方向の長さは、それぞれ異なっている。また、レンズ側第１爪部３９０ａ〜レンズ側第４爪部３９０ｄの円周方向の一端と光軸Ｏとを結ぶ直線とレンズ側第１爪部３９０ａ〜レンズ側第４爪部３９０ｄの円周方向の他端と光軸Ｏとを結ぶ直線とのなす角度は、それぞれ異なっている。具体的には、レンズ側第３爪部３９０ｃが最も長く、レンズ側第１爪部３９０ａが２番目に長く、レンズ側第４爪部３９０ｄが３番目に長く、レンズ側第２爪部３９０ｂが最も短い。
レンズ側第３爪部３９０ｃの一端と光軸Ｏとを結ぶ直線と、レンズ側第３爪部３９０ｃの他端と光軸Ｏとを結ぶ直線とのなす角度α７は約４８．５度であり、４８．０度から４９．０度の間である。
レンズ側第１爪部３９０ａの一端と光軸Ｏとを結ぶ直線と、レンズ側第１爪部３９０ａの他端と光軸Ｏとを結ぶ直線とのなす角度α５は約４８度であり、４７．５度から４８．５度の間である。
【００４６】
レンズ側第４爪部３９０ｄの一端と光軸Ｏとを結ぶ直線と、レンズ側第４爪部３９０ｄの他端と光軸Ｏとを結ぶ直線とのなす角度α８は約４４度であり、４３．０度から４５．０度の間である。
レンズ側第２爪部３９０ｂの一端と光軸Ｏとを結ぶ直線と、レンズ側第２爪部３９０ｂの他端と光軸Ｏとを結ぶ直線とのなす角度α６は約３６度であり、３５．５度から３６．５度の間である。
なお、レンズ側第２爪部３９０ｂの一端と光軸Ｏとを結ぶ直線と、レンズ側第２爪部３９０ｂの他端と光軸Ｏとを結ぶ直線とのなす角度α６は、後述する回転角度より小さい。
【００４７】
レンズ側第１爪部３９０ａ〜レンズ側第４爪部３９０ｄの径方向の長さ（爪部の高さ）は、略同一である。また、レンズ側第１爪部３９０ａ〜レンズ側第４爪部３９０ｄの光軸Ｏ方向の長さ（爪部の厚み）は、略同一である。
【００４８】
なお、レンズ側爪部３９０の少なくとも一つは、カメラボディ２との装着状態に影響を与えない範囲で一部を切り欠いたりしてもよい。仮にレンズ側第１爪部３９０ａの一部を切り欠いた場合であっても、ボディ側第１爪部２９０ａに対向する領域に配置される突出部および切り欠た部分を合わせた全体をレンズ側第１爪部３９０ａとする。他のレンズ側第２〜第４爪部３９０ｂ〜３９０ｄでも同様である。切り欠き方としては、レンズ側第１爪部３９０ａを周方向に２以上に分割するように切り欠いてもよく、レンズ側第１爪部３９０ａの一部を欠くように切り欠いてもよく、レンズ側第１爪部３９０ａの少なくとも一部の径方向の長さが短くなるように切り欠いてもよい。従って、レンズ側爪部３９０は、レンズ側第３直線Ｌ３またはレンズ側第４直線Ｌ４上の一部を切り欠いてもよい。
また、レンズ側第１爪部３９０ａの周方向の長さは、挿入時に対応するボディ側第１挿抜部２８０ａを通過する範囲で変更してもよい。レンズ側第２爪部３９０ｂ、レンズ側第３爪部３９０ｃ、レンズ側第４爪部３９０ｄについても同様である。
さらにまた、円筒部３１２の径方向の厚さは適宜変更可能であり、本実施形態の円筒部３１２より内径側に少なくとも一部が突出する形状であってもよい。
【００４９】
レンズ側爪部３９０は、円筒部３１２の外周から径方向外側に向かって突出し、円筒部３１２の外周上には、レンズ側爪部３９０が存在する部分と、レンズ側爪部３９０が存在しない空間部分がある。
【００５０】
以下の説明において、円筒部３１２の外周上における、レンズ側第１爪部３９０ａとレンズ側第４爪部３９０ｄとの間の空間３８０ｄをレンズ側第１挿抜部３８０ａと称する。
同様に、レンズ側第１爪部３９０ａとレンズ側第２爪部３９０ｂとの間の空間３８０ｂをレンズ側第２挿抜部３８０ｂと、レンズ側第２爪部３９０ｂとレンズ側第３爪部３９０ｃとの間の空間３８０ｃをレンズ側第３挿抜部３８０ｃと、レンズ側第３爪部３９０ｃとレンズ側第４爪部３９０ｄとの間の空間３８０ｄをレンズ側第４挿抜部３８０ｄと、それぞれ称する。
これら４つのレンズ側第１挿抜部３８０ａ〜第４挿抜部３８０ｄを、レンズ側挿抜部３８０と総称する。
【００５１】
レンズ側第１挿抜部３８０ａ〜レンズ側第４挿抜部３８０ｄの円周方向の長さは、それぞれ異なっている。具体的には、レンズ側第２挿抜部３８０ｂが最も長く、レンズ側第１挿抜部３８０ａが２番目に長く、レンズ側第４挿抜部３８０ｄが３番目に長く、レンズ側第３挿抜部３８０ｃが最も短い。
レンズ側第２挿抜部３８０ｂの一端と光軸Ｏとを結ぶ直線と、レンズ側第２挿抜部３８０ｂの他端と光軸Ｏとを結ぶ直線とのなす角度β６は約５０度であり、４９．５度から５０．５度の間である。
レンズ側第１挿抜部３８０ａの一端と光軸Ｏとを結ぶ直線と、レンズ側第１挿抜部３８０ａの他端と光軸Ｏとを結ぶ直線とのなす角度β５は約４５度であり、４４．５度から４５．５度の間である。
【００５２】
レンズ側第４挿抜部３８０ｄの一端と光軸Ｏとを結ぶ直線と、レンズ側第４挿抜部３８０ｂの他端と光軸Ｏとを結ぶ直線とのなす角度β８は約４４．５度であり、４４．０度から４５．０度の間である。
レンズ側第３挿抜部３８０ｃの一端と光軸Ｏとを結ぶ直線と、レンズ側第３挿抜部３８０ｃの他端と光軸Ｏとを結ぶ直線とのなす角度β７は約４４度である。４３．５度から４４．５度の間である。
もちろん、４つのレンズ側第１爪部３９０ａ〜レンズ側第４爪部３９０ｄの角度α５〜α８と、４つのレンズ側第１挿抜部３８０ａ〜レンズ側第４挿抜部３８０ｄの角度β５〜β８とを合計した値は３６０度である。
【００５３】
また、レンズ側第１挿抜部３８０ａとレンズ側第３挿抜部３８０ｃは、レンズ側第２直線Ｌ２の線上であって光軸Ｏを中心にして略対象となる領域に、レンズ側第２挿抜部３８０ｂとレンズ側第４挿抜部３８０ｄは、レンズ側第１直線Ｌ１の線上であって光軸Ｏを中心として略対象となる領域に、それぞれ配置される。
なお、レンズ側第１直線Ｌ１とレンズ側第２直線Ｌ２は、レンズ側第１挿抜部３８０ａ〜レンズ側第４挿抜部３８０ｄの円周方向に沿った中心位置を通るとは限らない。
【００５４】
円筒部３１２の内側には、複数のレンズ側端子からなるレンズ側端子保持部３２０が設けられる。レンズ側端子保持部３２０は、環状のレンズ側マウント３１０の形状に対応する円弧状の形状を有する。レンズ側端子保持部３２０は、レンズ側マウント３１０の開口に並行して、レンズ側マウント３１０の上部に配置され、図５および図６に示すように上部の中央に配置することが好ましい。つまり、レンズ側端子保持部３２０の周方向における中心は、レンズ側第１直線Ｌ１上に位置するのが好ましい。
【００５５】
レンズ側端子保持部３２０の左上にはレンズ側第１爪部３９０ａが配置され、レンズ側端子保持部３２０の右上にはレンズ側第２挿抜部３８０ｂが配置される。よって、レンズ側端子保持部３２０の一端と光軸Ｏとを結ぶ直線と、レンズ側端子保持部３２０の他端と光軸Ｏとを結ぶ直線とのなす角度は、レンズ側第１爪部３９０ａの角度α５とレンズ側第２挿抜部３８０ｂの角度β６とを合わせた角度より小さい。
【００５６】
レンズ側端子保持部３２０は、上述したように複数のレンズ側端子を有する。複数のレンズ側端子（レンズ側端子群と称する）は、レンズ側端子保持部３２０に、レンズ側マウント３１０の内側に一列に並べて円弧状に配置される。レンズ側端子群は、それぞれ導電性の接触面が＋Ｚ方向（図１）に向かって露出するように配置される。
【００５７】
複数のレンズ側端子の全ての接触面は、レンズ側爪部３９０の光軸Ｏ方向後端より＋Ｚ方向に位置してもよく、レンズ側爪部３９０の光軸Ｏ方向後端より‐Ｚ方向に位置してもよい。
また、複数のレンズ側端子の一部の接触面を、レンズ側爪部３９０の光軸Ｏ方向後端より＋Ｚ方向に位置してもよく、残りの接触面をレンズ側爪部３９０の光軸Ｏ方向後端より‐Ｚ方向に位置してもよい。
【００５８】
レンズ側マウント３１０は、ロックピン受部３１４を有する。ロックピン受部３１４は、図５および図６に示すように、レンズ側第４爪部３９０ｄの左上に配置される。つまり、ロックピン受部３１４は、レンズ側マウント３１０のロックピン用摺動面３０９のうちレンズ側第１爪部３９０ａの外周側に対応する部分とレンズ側第４爪部３９０ｄの外周側に対応する部分の間に配置されている。
【００５９】
ロックピン受部３１４は、交換レンズ３をカメラボディ２に装着した際にカメラボディ２のロックピン２１４が収まる溝である。この溝は、レンズ側マウント３１０のロックピン用摺動面３０９から−Ｚ方向（図１）に向かって凹形状に設けられている。
カメラボディ２のロック解除ボタンが押されていない状態で、ロックピン２１４の−Ｚ方向端部（被写体側の前端）は、レンズ側マウント３１０のロックピン受部３１４に収まる。また、カメラボディ２のロック解除ボタンが押されている状態では、ロックピン２１４の−Ｚ方向端部は、ロックピン用摺動面３０９より＋Ｚ方向に位置する。従って、カメラボディ２のロック解除ボタンを押しながら交換レンズ３とカメラボディ２とを相対回転させるときは、ロックピン２１４はロックピン用摺動面３０９に接触しない。
【００６０】
カメラボディ２に交換レンズ３が装着されると、複数のボディ側端子がそれぞれ対応する複数のレンズ側端子に物理的に接触する。この接触により、複数のボディ側端子と複数のレンズ側端子とが電気的に接続される。すなわち、複数のボディ側端子と複数のレンズ側端子とが電気的に導通する。
【００６１】
図７に示すように、レンズ側マウント３１０の基準面３１１とレンズ側第４爪部３９０ｄとの間には、円筒部３１２の外周面から突出する方向に制限ピン３１５が配置されている。制限ピン３１５は、レンズ側第４爪部３９０ｄの装着方向４４の後端側（レンズ側第３爪部３９０ｃに近い位置）に配置されている。制限ピン３１５の一部は、レンズ側第４爪部３９０ｄを交換レンズ３の後ろから見た際に、レンズ側第４爪部３９０ｄの裏側に配置されている。
なお、本実施形態では制限ピン３１５にネジ部材を用いて円筒部３１２に径方向外側からねじ止めしているが、制限ピン３１５の形状や材質はこの限りではない。
【００６２】
（カメラボディ２への交換レンズ３の装着方法）
次に、図８、図９を参照して、カメラボディ２への交換レンズ３の装着方法について説明する。図８、図９は、カメラボディ２のボディ側爪部２９０と交換レンズ３のレンズ側爪部３９０との位置関係を示す図であり、爪部同士の当接状態がわかるようにしたものである。また、図８、図９は、ボディ側マウント２１０とレンズ側マウント３１０とを、被写体側から撮像素子２７０側に向かって見た（＋Ｚ方向に見た）図であり、レンズ側マウント３１０は図５、図６と左右が反転している。
【００６３】
交換レンズ３をカメラボディ２に取り付ける際、まず、交換レンズ３の外周面に付された指標（不図示）とカメラボディ２の外装面に付された指標（不図示）との位置を合わせ、ボディ側マウント２１０とレンズ側マウント３１０とを対向させて、各ボディ側挿抜部２８０に各レンズ側爪部３９０を挿入する。つまり、図８に示すように、レンズ側第１爪部３９０ａをボディ側第１挿抜部２８０ａに挿入し、レンズ側第２爪部３９０ｂをボディ側第２挿抜部２８０ｂに挿入し、レンズ側第３爪部３９０ｃをボディ側第３挿抜部２８０ｃに挿入し、レンズ側第４爪部３９０ｄをボディ側第４挿抜部２８０ｄに挿入する。このとき、ボディ側第１爪部２９０ａはレンズ側第２挿抜部３８０ｂに挿入され、ボディ側第２爪部２９０ｂはレンズ側第３挿抜部３８０ｃに挿入され、ボディ側第３爪部２９０ｃはレンズ側第４挿抜部３８０ｄに挿入され、ボディ側第４爪部２９０ｄはレンズ側第１挿抜部３８０ａに挿入される。この際のカメラボディ２に対する交換レンズ３の位置を挿入位置と称する。
【００６４】
上記の挿入位置から、交換レンズ３を図８に示す装着方向４４に回転させる。装着方向４４は光軸Ｏと略直交する面内において、光軸Ｏを中心とする円周方向に沿った方向である。交換レンズ３の回転に伴い、レンズ側第１爪部３９０ａと基準面３１１との間の空間にボディ側第１爪部２９０ａおよび板バネ２１３ａが進入する。
【００６５】
すなわち、レンズ側第１爪部３９０ａがボディ側第１爪部２９０ａの撮像素子２７０側（＋Ｚ側）に進入し、レンズ側第１爪部３９０ａが板バネ２１３ａの撮像素子２７０側（＋Ｚ側）に対向する。あわせて、レンズ側第１爪部３９０ａと基準面３１１との間の空間にボディ側第１爪部２９０ａおよび板バネ２１３ａが進入する。同様に、レンズ側第２爪部３９０ｂと基準面３１１との間の空間にボディ側第２爪部２９０ｂおよび板バネ２１３ｂが進入し、レンズ側第３爪部３９０ｃと基準面３１１との間の空間にボディ側第３爪部２９０ｃおよび板バネ２１３ｃが進入し、レンズ側第４爪部３９０ｄと基準面３１１との間の空間にボディ側第４爪部２９０ｄおよび板バネ２１３ｄが進入する。このとき、レンズ側端子群は、ボディ側端子群と順に接触していく。
なお、交換レンズ３をカメラボディ２に対して装着方向４４に回転させることとしたが、カメラボディ２を交換レンズ３に対して装着方向４４と反対方向に回転させてもよい。
【００６６】
図９は、図８の挿入位置から交換レンズ３をカメラボディ２に対して装着方向４４に第１角度回転させた図であり、交換レンズ３をカメラボディ２に装着完了した状態を示す。このときの交換レンズ３の位置を装着位置という。第１角度は、本実施形態では約４０度であり、３８．５度から４１．５度である。
【００６７】
装着位置において、カメラボディ２のロックピン２１４は−Ｚ方向へ押されて交換レンズ３のロックピン受部３１４に進入する。ロックピン２１４がロックピン受部３１４に進入すると、交換レンズ３はカメラボディ２に対して取り外すための回転を規制する。つまり、各ボディ側爪部２９０および各レンズ側爪部３９０が装着位置に到達すると、ボディ側マウント２１０とレンズ側マウント３１０との周方向における相対位置が定まる。
【００６８】
また、レンズ側爪部３９０は板バネ２１３によって撮像素子２７０側（＋Ｚ方向）に押され、レンズ側マウント３１０の基準面３１１がボディ側マウント２１０の基準面２１１と接触する。レンズ側マウント３１０がボディ側マウント２１０と面接触し、かつ、板バネ２１３により付勢されることにより、交換レンズ３とカメラボディ２とが強固に装着される。
装着位置において、複数のレンズ側端子の各々は、それぞれ対応する複数のボディ側端子の各々に接触し、電気的に接続される。
【００６９】
また、図８の各レンズ側爪部３９０が挿入位置で対応する各ボディ側挿抜部２８０に挿入した状態から図９の装着位置の直前までの状態を装着中状態と呼ぶ。カメラボディ２のロックピン２１４は−Ｚ方向に押圧されているので、装着中状態のとき、ロックピン２１４の−Ｚ方向端部はレンズ側マウント３１０のロックピン用摺動面３０９と接触する。
【００７０】
交換レンズ３の回転に伴って、ロックピン２１４の−Ｚ方向端部は、交換レンズ３のロックピン用摺動面３０９上をスライドする。それゆえ、ロックピン用摺動面３０９のロックピン受部３１４から装着方向４４と逆方向の第１角度範囲には、レンズ側マウント３１０を固定する固定ビスを配置しない。上記逆方向の第１角度範囲に固定ビスを配置しないことにより、ロックピン２１４の−Ｚ方向端部がロックピン用摺動面３０９上でスライドする際に固定ビスに当たることはないので、滑らかに交換レンズ３を着脱できる。
【００７１】
（カメラボディ２からの交換レンズ３の取り外し方法）
装着位置において、ユーザーがカメラボディの不図示のロック解除ボタンを押下すると、ロックピン２１４がロックピン受部３１４から撮像素子２７０側に退避する。これにより、交換レンズ３のカメラボディ２に対する回転規制が解除され、ボディ側マウント２１０に対してレンズ側マウント３１０を回転させられるようになる。不図示のロック解除ボタンを押しながら交換レンズ３をカメラボディ２に対して装着方向４４とは逆の方向（取り外し方向）に回転させると、各レンズ側爪部３９０は、各ボディ側爪部２９０の像側面に対向する位置から各ボディ側挿抜部２８０の位置に移動し、図８に示す挿入位置に到達する。
【００７２】
（装着方向の過回転状態の説明）
次に、図１０を参照して、交換レンズ３をカメラボディ２に対して装着方向４４に第１角度以上回転させた過回転状態について説明する。図１０はカメラボディ２のボディ側第４爪部２９０ｄと交換レンズ３のレンズ側第４爪部３９０ｄとの位置関係を示す模式図であり、一点鎖線の上部(ａ)は被写体側から撮像素子２７０側に向かって見た図であり、一点鎖線の下部（ｂ）はレンズマウント機構を側面から見た図である。交換レンズ３をカメラボディ２に装着する際、ユーザーがロック解除ボタンを押しながら交換レンズ３を装着方向４４に回転させると、装着位置でロックピン２１４がロックピン受部３１４に進入しない。よって、図９に示す装着位置からさらに交換レンズ３をカメラボディ２に対して回転させることができる。交換レンズ３をカメラボディ２に対して装着位置よりさらに装着方向４４に回転させた場合、制限ピン３１５がボディ側第４爪部２９０ｄの装着方向４４の後端に当接して、交換レンズ３がそれ以上カメラボディ２に対して回転するのを防止する。
【００７３】
（取り外し方向の過回転状態の説明）
次に、図１１を参照して、交換レンズ３をカメラボディ２対して装着方向４４とは逆方向（取り外し方向）に挿入位置よりも回転させた過回転状態について説明する。図１１は取り外し方向への過回転状態においてレンズマウント機構の一部を側面から見た図である。制限ピン３１５は、レンズ側第４爪部３９０ｄの装着方向４４の後端部に配置されているので、交換レンズ３をカメラボディ２に対して挿入した後にユーザーが逆回転させようとすると、制限ピン３１５はボディ側第３爪部２９０ｃの装着方向４４の先端に当接して、交換レンズ３がそれ以上カメラボディ２に対して取り外し方向に回転するのを防止する。
【００７４】
このように、制限ピン３１５は、ボディ側爪部２９０の周方向端部に当接することにより、装着方向４４の過回転と取り外し方向の過回転との両方を防止する。制限ピン３１５は、装着方向４４の過回転と取り外し方向の過回転との両方を防止するので、装着方向４４の過回転を防止する部材と取り外し方向の過回転を防止する部材との２つを用意する必要がない。
また、制限ピン３１５はボディ側爪部２９０の周方向端部を利用して過回転を防止するので、過回転時に制限ピン３１５に当接する部材を別途設ける必要がない。
【００７５】
（誤挿入状態の説明）
次に、交換レンズ３の指標とカメラボディ２の指標とを合わせずに、ユーザーが誤った位置で交換レンズ３をカメラボディ２に挿入させようとしてしまう誤挿入状態について説明する。誤挿入状態でレンズ側爪部３９０はボディ側挿抜部２８０を通過しないので、レンズ側爪部３９０とボディ側爪部２９０との光軸Ｏ上の位置関係は、挿入位置での位置関係とは異なる。図１２、図１３は、カメラボディ２のボディ側爪部２９０と交換レンズ３のレンズ側爪部３９０との位置関係を示す模式図であり、爪部同士の当接状態がわかるようにしたものである。また、図１２、図１３は、ボディ側マウント２１０とレンズ側マウント３１０とを、被写体側から撮像素子２７０側に向かって見た（＋Ｚ方向に見た）図であり、レンズ側マウント３１０は図５、図６と左右が反転している。誤挿入状態の例として、交換レンズ３の指標とカメラボディ２の指標とを挿入位置から取り外し方向に１５度ずれた状態を図１２に示す。また、交換レンズ３の指標とカメラボディ２の指標とを、挿入位置から９０間隔でずれた状態を図１３（ａ）〜（ｃ）に示す。
【００７６】
図１２に、挿入位置から取り外し方向に１５度ずれた状態（第１誤挿入状態）を示す。図１２にハッチングで示すように、ボディ側爪部２９０にレンズ側爪部３９０が４つの符号γ１〜γ４に示す部分で当接するので、ボディ側挿抜部２８０にレンズ側爪部３９０が挿入されない。つまり、第１誤挿入状態では、レンズ側爪部３９０とボディ側爪部２９０とが４か所で当接することにより、誤挿入を確実に防止する。
【００７７】
図１３（ａ）は、交換レンズ３の指標とカメラボディ２の指標とを挿入位置から取り外し方向に略９０度ずれた状態（第２誤挿入状態）を示す図である。図１３（ｂ）は、交換レンズ３の指標とカメラボディ２の指標とを挿入位置から取り外し方向に略１８０度ずれた第３誤挿入状態を示す図である。図１３（ｃ）は、交換レンズ３の指標とカメラボディ２の指標とを挿入位置から取り外し方向に略２７０度ずれた第４誤挿入状態を示す図である。
【００７８】
図１３（ａ）に示すように、第２誤挿入状態の場合、レンズ側第３爪部３９０ｃは、ボディ側第１爪部２９０ａに符号γ５で示す部分が当たるとともにボディ側第２爪部２９０ｂにγ７で示す部分が当たってしまい、ボディ側第２挿抜部２８０ｂに挿入できない。また、レンズ側第１爪部３９０ａは、ボディ側第４爪部２９０ｄに符号γ６で示す部分が当たってしまい、ボディ側第４挿抜部２８０ｄに挿入できない。このように、第２誤挿入状態において、レンズ側爪部３９０はボディ側爪部２９０と３か所で当接して誤挿入を防止する。
【００７９】
図１３（ｂ）に示すように、第３誤挿入状態の場合、レンズ側第４爪部３９０ｄは、ボディ側第１爪部２９０ａに符号γ８で示す部分が当たってしまい、ボディ側第２挿抜部２８０ｂに挿入できない。また、レンズ側第１爪部３９０ａは、ボディ側第３爪部２９０ｃに符号γ９で示す部分が当たってしまい、ボディ側第１挿抜部２８０ａに挿入できない。このように、第３誤挿入状態において、レンズ側爪部３９０はボディ側爪部２９０と２か所で当接して誤挿入を防止する。
【００８０】
図１３（ｃ）に示すように、第４誤挿入状態の場合、レンズ側第１爪部３９０ａは、ボディ側第１爪部２９０ａに符号γ１０で示す部分が当たるとともにボディ側第２爪部２９０ｂにγ１１で示す部分が当たってしまい、ボディ側第２挿抜部２８０ｂに挿入できない。また、レンズ側第３爪部３９０ｃは、ボディ側第３爪部２９０ｃに符号γ１２で示す部分が当たってしまい、ボディ側第４挿抜部２８０ｄに挿入できない。このように、第４誤挿入状態において、レンズ側爪部３９０はボディ側爪部２９０と３か所で当接して誤挿入を防止する。
【００８１】
上記のように、挿入位置以外の誤挿入状態において、レンズ側爪部３９０はボディ側爪部２９０と少なくとも２か所で当接することで、挿入位置以外ではレンズ側爪部３９０がボディ側挿抜部２８０へ挿入することが禁止される。したがって、誤挿入位置で交換レンズ３をカメラボディ２に装着しようとしても、少なくとも２か所で爪部同士が当接することにより、誤挿入を確実に防止できる。
【００８２】
また、第１誤挿入状態〜第４誤挿入状態において、２か所以上の当接箇所のうち１つは撮像素子２７０の上側に位置する。つまり、誤挿入位置では、ボディ側第１爪部２９０ａの装着方向４４先端側の端部にレンズ側第１爪部３９０ａ〜レンズ側第３爪部３９０ｃのいずれかが当接し、レンズ側第１爪部３９０ａ〜レンズ側第３爪部３９０ｃがボディ側第２挿抜部２８０ｂへ挿入することを防止する。上述したように、ボディ側マウント２１０の開口２１２内であって撮像素子２７０の上部には、ボディ側端子保持部２２０が配置されている。ボディ側端子保持部２２０の上部にはボディ側第１爪部２９０ａがあり、ボディ側第１爪部２９０ａは４つのボディ側爪部２９０のうち最も円周方向の長さが長い。また、ボディ側端子保持部２２０の上部にはボディ側第２挿抜部２８０ｂがあり、ボディ側第２挿抜部２８０ｂは４つのボディ側挿抜部２８０のうち最も短い。それゆえ、ボディ側第２挿抜部２８０ｂには正規の挿入位置でレンズ側第２爪部３９０ｂが挿入されるのみであり、ボディ側第２挿抜部２８０ｂに他のレンズ側第１爪部３９０ａ〜レンズ側第３爪部３９０ｃが誤挿入されることはない。また、ボディ側第２挿抜部２８０ｂにレンズ側第１爪部３９０ａ〜レンズ側第３爪部３９０ｃが傾斜して（光軸Ｏ方向に交差する方向に傾いて）進入することもない。これにより、誤挿入状態でレンズ側爪部３９０ａ〜３９０ｃがボディ側端子保持部２２０にぶつかってボディ側端子を傷つけることを防止している。また、ボディ側第１爪部２９０ａは、誤挿入状態においてレンズ側爪部３９０のいずれかが当たって誤挿入を防止しているが、ボディ側第１爪部２９０ａは４つのレンズ側爪部２９０のうち最も円周方向の長さが長く耐性が高いので、誤挿入時にボディ側第１爪部２９０ａが破損してしまう可能性も低くできる。また、第２〜４誤挿入状態において、当接箇所のうち少なくとも一つは、ボディ側端子保持部２２０と光軸Ｏを挟んで対向する位置にある。つまり、当接箇所の１つはボディ側端子保持部２２０の近傍であり光軸Ｏを通るボディ側第２直線Ｂ２より上側であるとともに、当接箇所の１つは光軸Ｏを通るボディ側第２直線Ｂ２より下側である。したがって、第２〜４誤挿入状態では当接箇所は２か所または３か所であるが、光軸Ｏを通るボディ側第２直線Ｂ２の上下でそれぞれ当接するので誤挿入の可能性を低くすることができる。
また、第１〜４誤挿入状態において、２か所以上の当接箇所のうち１つはレンズ側端子保持部３２０の外周側に位置する。つまり、誤挿入位置において、レンズ側第１爪部３９０ａの装着方向４４先端側の端部にボディ側第１〜４爪部２９０ａ〜２９０ｄのいずれかが当接する。それゆえ、レンズ側第２挿抜部３８０ｂに他のボディ側第２〜４爪部２９０ｂ〜２９０ｄが誤挿入されることを防止する。上述したように、レンズ側端子保持部３２０の上部にはボディ側第１爪部２９０ａの装着方向４４先端側の端部がある。これにより、レンズ側第１爪部２９０ａがボディ側第１挿抜部２８０ａ以外のボディ側挿抜部２８０ｂ〜２８０ｄを通過してしまい、レンズ側端子保持部３２０にぶつかってレンズ側端子を傷つけることを防止している。また、レンズ側第１爪部３９０ａは、誤挿入状態においてボディ側爪部２９０のいずれかに当たって誤挿入を防止しているが、レンズ側第１爪部３９０ａは４つのレンズ側爪部３９０のうち２番目に円周方向の長さが長く耐性が比較的高いので、誤挿入時にレンズ側第１爪部３９０ａが破損してしまう可能性も低くできる。
【００８３】
ここで、図８に示すように、レンズ側第２爪部３９０ｂは、ボディ側第２挿抜部２８０ｂを通過して挿入位置に配置され、装着位置でボディ側第２爪部２９０ｂに対向する。レンズ側第２爪部３９０ｂの角度α６（図６）はボディ側第２挿抜部２８０ｂの角度β２（図３）より小さい。ボディ側第２挿抜部２８０ｂの角度β２は挿入位置から装着位置までの第１角度より小さい。したがって、レンズ側第２爪部３９０ｂを第１角度より小さくすることにより、ボディ側第２挿抜部２８０ｂをより小さくして誤挿入状態でレンズ側第２爪部３９０ｂ以外の他のレンズ側爪部３９０が通過することを防止することができる。特に、レンズ側爪部３９０とボディ側爪部２９０との当接箇所が２か所または３か所になる第２誤挿入状態〜第４誤挿入状態で、レンズ側第２爪部３９０ｂ以外の他のレンズ側爪部３９０ａ、３９０ｃ、３９０ｄがボディ側第２挿抜部２８０ｂを通過することを防止することができる。ボディ側第２挿抜部２９０ｂの内径側にはボディ側端子保持部２２０が配置されているので、上記他のレンズ側爪部３９０ａ、３９０ｃ、３０９ｄが通過するのを防止することにより、当該他のレンズ側爪部３９０や円筒部３１２がボディ側端子保持部２２０にあたってボディ側端子を破損することを防止することもできる。
なお、レンズ側第２爪部３９０ｂの角度α６は、レンズ側第１爪部３９０ａ、レンズ側第３爪部３９０ｃ、レンズ側第４爪部３９０ｄの角度α５、α７、α８より小さくてもよい。ボディ側第２挿抜部２８０ｂの角度β２は、上記レンズ側第１爪部３９０ａ、レンズ側第３爪部３９０ｃ、レンズ側第４爪部３９０ｄの角度α５、α７、α８より小さくてもよい。
【００８４】
上述した実施の形態によれば、カメラボディ２に交換レンズ３を適正に使用可能な状態で装着することができる。特に、カメラボディ２と交換レンズ３との装着時には、４つのレンズ側爪部３９０は４つのボディ側爪部２９０の板バネ２１３のそれぞれから＋Ｚ方向に押し付けられるので、交換レンズ３とカメラボディ２とのいずれか一方に衝撃を受けた場合でも突出部（レンズ側爪部３９０、ボディ側爪部２９０）がそれぞれ４つあるので、耐衝撃性が高い。
【００８５】
また、カメラボディ２に交換レンズ３を装着した際に、カメラボディ２および交換レンズ３のそれぞれの端子を通じてカメラボディ２と交換レンズ３との間で通信、給電、制御を行うことができ、カメラシステム１を適正に使用することができる。
【００８６】
交換レンズ３の４つの突出部は、接点保持部の中心と光軸Ｏとを結ぶ直線に対して光軸Ｏ上で略４５度で交差する直線上に配置し、光軸Ｏ周りに略９０度間隔で配置した４つの板バネ２１３に接触してカメラボディ２の４つの突出部と対向することとした。これにより、カメラシステム１を横位置に構えた際でも縦位置に構えた際でも耐衝撃性が高い。特に、交換レンズ３とカメラボディ２とのいずれか一方に上下方向の衝撃を受けても、接点保持部の中心と光軸Ｏとを結ぶ直線（Ｂ１、Ｌ１）の右側と左側とにそれぞれ２つずつ突出部を配置したので、上下方向の衝撃を２以上の突出部で受けることができる。
【００８７】
ボディ側第３直線Ｂ３上にボディ側第２爪部２９０ｂとボディ側第４爪部２９０ｄとを配置し、ボディ側第４直線Ｂ４上にボディ側第１爪部２９０ａとボディ側第３爪部２９０ｃとを配置した。ここで、ボディ側第４爪部２９０ｄの角度α４は４つのボディ側爪部２９０のうち３番目に角度が大きく、ボディ側第２爪部２９０ｂの角度α２は４つのボディ側爪部２９０のうち最も角度が小さい（４番目に大きい）。また、ボディ側第１爪部２９０ａの角度α１は４つのボディ側爪部２９０のうち最も角度が大きく、ボディ側第３爪部２９０ｃの角度α３は４つのボディ側爪部のうち２番目に角度が大きい。
【００８８】
よって、交換レンズ３とカメラボディ２とのいずれか一方に上下方向の衝撃を受けた場合、上側の２つの突出部（ボディ側第１爪部２９０ａとボディ側第２爪部２９０ｂ）の組み合わせと、下側の２つの突出部（ボディ側第４爪部２９０ｄとボディ側第３爪部２９０ｃ）の組み合わせに加わる力が略均等となる。左右方向に衝撃を受けた場合であっても、左側の２つの突出部（ボディ側第３爪部２９０ｃとボディ側第２爪部２９０ｂ）の組み合わせと、右側の２つの突出部（ボディ側第１爪部２９０ａとボディ側第４爪部２９０ｄ）の組み合わせに加わる力が略均等となる。
【００８９】
レンズ側第３直線Ｌ３上にレンズ側第１爪部３９０ａとレンズ側第３爪部３９０ｃとを配置し、レンズ側第４直線Ｌ４上にレンズ側第２爪部３９０ｂとレンズ側第４爪部３９０ｄとを配置した。ここで、レンズ側第４爪部３９０ｄの角度α８は４つのレンズ側爪部３９０のうち３番目に角度が大きく、レンズ側第２爪部３９０ｂの角度α６は４つのレンズ側爪部３９０のうち最も角度が小さい（４番目に大きい）。また、レンズ側第１爪部３９０ａの角度α５は４つのレンズ側爪部のうち２番目に角度が大きく、レンズ側第３爪部３９０ｃの角度α７は４つのレンズ側爪部のうち最も角度が大きい。
【００９０】
よって、交換レンズ３とカメラボディ２とのいずれか一方に上下方向の衝撃を受けた場合、上側の２つの突出部（レンズ側第１爪部３９０ａとレンズ側第２爪部３９０ｂ）の組み合わせと、下側の２つの突出部（レンズ側第４爪部３９０ｄとレンズ側第３爪部３９０ｃ）の組み合わせに加わる力が略均等となる。左右方向に衝撃を受けた場合であっても、左側の２つの突出部（レンズ側第１爪部３９０ａとレンズ側第４爪部３９０ｄ）の組み合わせと、右側の２つの突出部（レンズ側第３爪部３９０ｃとレンズ側第２爪部３９０ｂ）の組み合わせに加わる力が略均等となる。
【００９１】
また、本実施形態では、レンズ側第３直線Ｌ３上に配置されたレンズ側第１爪部３９０ａとレンズ側第３爪部３９０ｃとではレンズ側第３爪部３９０ｃの方が角度が大きく、レンズ側第４直線Ｌ４上に配置されたレンズ側第２爪部３９０ｂとレンズ側第４爪部３９０ｄとではレンズ側第４爪部３９０ｄの方が角度が大きい。すなわち、光軸Ｏを挟んで対向する２つのレンズ側爪部３９０同士は、レンズ側第２直線Ｌ２（水平方向）より下側の２つのレンズ側爪部３９０が大きい。それゆえ、カメラシステムを横位置で構えた状態で、交換レンズ３に下方向から受けた衝撃を、レンズ側第２直線Ｌ２より下側の大きな角度のレンズ側爪部３９０の２つが広い面積で受けることができる。また、カメラシステムを横位置で構えた状態で、交換レンズ３に下方向からの衝撃を受けた場合、レンズ側第２直線Ｌ２より下側のレンズ側爪部３９０はボディ側爪部２９０に近づく方向（−Ｚ方向）に衝撃を受ける。ここで、板バネ２１３は、レンズ側爪部３９０をボディ側爪部２９０から離れる方向（＋Ｚ方向）に押し付ける。それゆえ、カメラシステムを横位置で構えた状態で、交換レンズ３に下方向からの衝撃を受けても、レンズ側第２直線Ｌ２より下側のレンズ側爪部３９０は、広い面積で、かつ、それぞれ対向するボディ側爪部２９０の板バネ２１３の付勢力でも衝撃を吸収することができるので、耐衝撃性が高い。
【００９２】
カメラボディ２に交換レンズ３を装着した状態において、レンズ側端子保持部３２０は撮像素子２７０の上部に配置される。カメラシステム１を横位置に構えた状態で、交換レンズ３に入射する太陽光は、交換レンズ３の射出側において下側に入射するので、撮像素子２７０の下側はゴーストが生じやすいが、本実施形態では撮像素子２７０の下側ではなく上側にレンズ側端子保持部３２０を配置したので、ゴーストを抑えることができる。
【００９３】
４つの板バネ２１３は、光軸Ｏ回りに略９０度間隔で配置される。よって、４つの板バネ２１３のうち光軸Ｏを挟んで少なくとも２つの板バネ２１３は２つのレンズ側爪部３９０と接触し、その２つのレンズ側爪部３９０は＋Ｚ方向に押し付けられる。本実施形態では交換レンズ３が４つのレンズ側爪部３９０を備えることとしたが、交換レンズ３の４つのレンズ側爪部３９０のうち１つのレンズ側爪部３９０が破損した場合であっても、少なくとも２つのレンズ側爪部３９０が光軸Ｏを挟んで対向する位置に配置されているので、光軸Ｏを挟んで対向する位置に配置された２つの板バネ２１３で押し付けられる。したがって、交換レンズ３のレンズ側爪部３９０が破損して数が足りなくなったとしても、交換レンズ３をカメラボディ２に使用可能な状態で装着することができるカメラシステム１を提供することができる。
また、板バネ２１３が直線Ｂ５上（図４）にあるので、直線Ｂ５近傍のレンズ側端子をボディ側端子に強く押し付けることができる。
【００９４】
次のような変形も可能であり、一つもしくは複数の変形例を上述の実施形態と組み合わせることも可能である。
（変形例）
【００９５】
４つのレンズ側爪部３９０のうち１つを外し、３つのレンズ側爪部を備える構成としてもよい。３つのレンズ側爪部であっても、カメラボディ２の板バネ２１３が光軸Ｏ回りに９０度間隔で配置されるので、少なくとも３つの板バネ２１３からレンズ側爪部が押し付けられて使用可能な状態に装着することができる。
【００９６】
４つのレンズ側爪部３９０のうち光軸Ｏを挟んで対向する２つを外し、光軸Ｏを挟んで対向する２つのレンズ側爪部を備える構成としてもよい。２つのレンズ側爪部であっても、光軸Ｏを挟んで対向し、かつ、カメラボディ２の板バネが光軸回りに９０度間隔で配置されるので、少なくとも光軸Ｏを挟んで対向する板バネ２１３からレンズ側爪部が押し付けられて使用可能な状態に装着することができる。なお、光軸Ｏを挟んで対向する２つのレンズ側爪部を備える構成とする場合、２つのレンズ側爪部のうちの１つは、レンズ側端子保持部３２０の中心に近い位置に配置するのが好ましい。レンズ側端子保持部３２０の中心に近い位置にレンズ爪部を配置して板バネ２１３と接触させることにより、レンズ側端子とボディ側端子とを接触させてカメラシステム１を適正に使用することができる。
【００９７】
レンズ側マウント３１０の材料に特に限定は無く、金属でも樹脂でもよい。またレンズ側マウント３１０の端部（レンズ側爪部３９０の外周側端部、レンズ側爪部３９０の円周方向端部、円筒部３１２の光軸Ｏ方向端部など）は少なくとも一部を傾斜して形成してもよい。レンズ側マウント３１０の端部は、傾斜していなくてもよく、一部に段差があってもよい。
【００９８】
レンズ側端子保持部３２０の形状に特に限定は無く、適宜変更可能である。特に、レンズ側端子保持部３２０の円周方向の端部を傾斜させることにより、挿入位置から装着位置に回転させる際のボディ側端子保持部２２０との接触を滑らかに行うことができる。
また、レンズ側端子保持部３２０は円弧状に配置された複数のレンズ側端子を備えることとしたが、交換レンズ３をカメラボディ２に装着時にボディ側端子に接触する範囲でレンズ側端子の位置をずらしても良い。
【００９９】
レンズ側爪部３９０の円周方向における中心位置や長さは、装着位置において板バネ２１３から押し付けられる範囲で適宜変更可能である。レンズ側爪部３９０の円周方向における中心位置と被付勢部の円周方向における中心位置とは、異なる位置に配置してもよい。つまり、レンズ側爪部３９０が板バネ２１３の円周方向における中心位置から押し付けられる位置は、レンズ側爪部３９０の円周方向における中心位置とは異なる位置でもよい。同様に、レンズ側爪部３９０の円周方向における中心位置とボディ側爪部２９０の円周方向における中心位置とは、装着位置において一致しなくても良い。また、レンズ側爪部３９０の円周方向の長さと対応するボディ側爪部２９０の円周方向における長さとは、一致しなくても良い。
【０１００】
なお、本実施形態においては、アクセサリとしてカメラシステム１の交換レンズ３を例に挙げて説明したが、アクセサリは交換レンズ３に限らない。例えば、カメラボディ２と交換レンズ３との間に装着され、交換レンズ３の焦点距離を変更するテレコンバーターやワイドコンバーター、接写リングなどでもよい。あるいは、上述したカメラボディ２のマウント規格に他のマウント規格の交換レンズ３を含むアクセサリを装着可能にするマウントアダプターなどにでも適用できる。すなわち、カメラボディ２のマウントに装着して使用するアクセサリであればいずれにも同様に適用できる。その場合、レンズ側爪部、レンズ側端子などは、それぞれのアクセサリのアクセサリ側突出部、アクセサリ側端子などに相当する。
【０１０１】
上記実施形態では、カメラボディ２に着脱可能なアクセサリとしたが、上記のカメラボディ２は、上述したマウント規格とは異なるカメラボディに上述したマウント規格の交換レンズ３を装着可能にするマウントアダプターであってもよく、そのマウントアダプターに上述したアクセサリを装着可能とする構成としてもよい。
【０１０２】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１０３】
１…カメラシステム、２…カメラボディ、３…交換レンズ、４４…装着方向、２１０…ボディ側マウント、２１１…基準面、２１２…開口、２１３…板バネ、２２０…ボディ側端子保持部、２７０…撮像素子、２９０…ボディ側爪部、３０９…ロックピン用摺動面、３１０…レンズ側マウント、３１１…基準面、３１２…円筒部、３２０…レンズ側端子保持部、３６０…撮像光学系、３９０…レンズ側爪部、Ｂ１〜Ｂ４…ボディ側第１直線〜第４直線、Ｌ１〜Ｌ４…レンズ側第１直線〜第４直線、Ｂ５…直線、Ｏ…光軸
【図１】
2019078921.tif 000003
【図２】
2019078921.tif 000004
【図３】
2019078921.tif 000005
【図４】
2019078921.tif 000006
【図５】
2019078921.tif 000007
【図６】
2019078921.tif 000008
【図７】
2019078921.tif 000009
【図８】
2019078921.tif 000010
【図９】
2019078921.tif 000011
【図１０】
2019078921.tif 000012
【図１１】
2019078921.tif 000013
【図１２】
2019078921.tif 000014
【図１３ａ】
2019078921.tif 000015
【図１３ｂ】
2019078921.tif 000016
【図１３ｃ】
2019078921.tif 000017
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
カメラボディを横位置に構えた際に上辺と下辺および右辺と左辺を有する矩形状であって光軸を中心とした被写体光が入射する撮像素子と、前記撮像素子の前記上辺の上部に配置された複数のボディ側端子からなるボディ側端子群と、前記撮像素子および前記ボディ側端子群の外側に配置された前記光軸を中心とする円環状のボディ側マウントと、前記ボディ側マウントから内径方向に向けて突出する第１ボディ側突出部と、前記ボディ側マウントから内径方向に向けて突出する第２ボディ側突出部と、前記ボディ側マウントから内径方向に向けて突出する第３ボディ側突出部と、前記ボディ側マウントから内径方向に向けて突出する第４ボディ側突出部と、を備え、前記ボディ側マウントをアクセサリ側から見て、前記ボディ側端子群の円周方向の中心および前記光軸を通るボディ側第１直線と前記ボディ側第１直線と前記光軸において直交するボディ側第２直線とで分割される４つの領域に前記第１ボディ側突出部と前記第２ボディ側突出部と前記第３ボディ側突出部と前記第４ボディ側突出部とがそれぞれ配置されるカメラボディに対して着脱可能なアクセサリであって、
前記光軸を中心とする円環状であり、前記ボディ側マウントと接触するアクセサリ側マウントと、
前記アクセサリ側マウントの内周縁部から前記光軸方向に延びた円筒部と、
前記円筒部の内側に配置され、前記カメラボディに装着時に前記ボディ側端子と接触する複数のアクセサリ側端子からなるアクセサリ側端子群と、
前記円筒部から前記アクセサリ側マウントの外周方向に向けて突出し、前記光軸を中心とした円周方向に延在する第１アクセサリ側突出部と、
前記円筒部から前記アクセサリ側マウントの外周方向に向けて突出し、前記光軸を中心とした円周方向に延在する第２アクセサリ側突出部と、
前記円筒部から前記アクセサリ側マウントの外周方向に向けて突出し、前記光軸を中心とした円周方向に延在する第３アクセサリ側突出部と、
前記円筒部から前記アクセサリ側マウントの外周方向に向けて突出し、前記光軸を中心とした円周方向に延在する第４アクセサリ側突出部と、
を備え、
前記アクセサリ側マウントを前記カメラボディ側から見て、前記アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第２アクセサリ側突出部と前記第４アクセサリ側突出部が配置されるアクセサリ。
【請求項２】
前記第１アクセサリ側突出部と前記第２アクセサリ側突出部と前記第３アクセサリ側突出部と前記第４アクセサリ側突出部とは、前記光軸を中心とした円周方向に延在する請求項１に記載のアクセサリ。
【請求項３】
前記第１アクセサリ側突出部の前記円周方向の中心と前記第３アクセサリ側突出部の前記円周方向の中心との少なくとも一方は前記アクセサリ側第３直線と異なる位置に配置される請求項２に記載のアクセサリ。
【請求項４】
前記第２アクセサリ側突出部の前記円周方向の中心と前記第４アクセサリ側突出部の前記円周方向の中心との少なくとも一方は前記アクセサリ側第４直線と異なる位置に配置される請求項２または３に記載のアクセサリ。
【請求項５】
前記アクセサリ側マウントを前記カメラボディ側から見て、前記アクセサリ側第１直線と前記光軸において直交するアクセサリ側第２直線とで分割される４つの領域に前記第１アクセサリ側突出部と前記第２アクセサリ側突出部と前記第３アクセサリ側突出部と前記第４アクセサリ側突出部がそれぞれ配置される請求項２から４のいずれか一項に記載のアクセサリ。
【請求項６】
前記アクセサリ側マウントを前記カメラボディ側から見て、前記第１アクセサリ側突出部の前記円周方向の一端と前記光軸とを結ぶ直線と前記第１アクセサリ側突出部の前記円周方向の他端と前記光軸とを結ぶ直線とのなす第１中心角度と、前記第２アクセサリ側突出部の前記円周方向の一端と前記光軸とを結ぶ直線と前記第２アクセサリ側突出部の前記円周方向の他端と前記光軸とを結ぶ直線とのなす第２中心角度と、前記第３アクセサリ側突出部の前記円周方向の一端と前記光軸とを結ぶ直線と前記第３アクセサリ側突出部の前記円周方向の他端と前記光軸とを結ぶ直線とのなす第３中心角度と、前記第４アクセサリ側突出部の前記円周方向の一端と前記光軸とを結ぶ直線と前記第４アクセサリ側突出部の前記円周方向の他端と前記光軸とを結ぶ直線とのなす第４中心角度とは、少なくとも一つの中心角度が他の中心角度とは異なる請求項２から５のいずれか一項に記載のアクセサリ。
【請求項７】
前記アクセサリ側マウントを前記カメラボディ側から見て、前記第３アクセサリ側突出部の前記円周方向の一端と前記光軸とを結ぶ直線と前記第３アクセサリ側突出部の前記円周方向の他端と前記光軸とを結ぶ直線とのなす第３中心角度は、前記第１アクセサリ側突出部の前記円周方向の一端と前記光軸とを結ぶ直線と前記第１アクセサリ側突出部の前記円周方向の他端と前記光軸とを結ぶ直線とのなす第１中心角度より大きく、
前記第１中心角度は、前記第４アクセサリ側突出部の前記円周方向の一端と前記光軸とを結ぶ直線と前記第４アクセサリ側突出部の前記円周方向の他端と前記光軸とを結ぶ直線とのなす第４中心角度より大きく、
前記第４中心角度は、前記第２アクセサリ側突出部の前記円周方向の一端と前記光軸とを結ぶ直線と前記第２アクセサリ側突出部の前記円周方向の他端と前記光軸とを結ぶ直線とのなす第２中心角度より大きい請求項２から５のいずれか一項に記載のアクセサリ。
【請求項８】
前記アクセサリは、前記第１アクセサリ側突出部から前記第４アクセサリ側突出部が対応する前記第１ボディ側突出部から前記第４ボディ側突出部の間に挿入される挿入位置から、前記第１アクセサリ側突出部から前記第４アクセサリ側突出部がそれぞれ対応する各ボディ側突出部に対向する装着位置まで、前記光軸上の所定位置で前記光軸に略直交する面内において第１方向に第１角度回転させることにより前記カメラボディに装着される請求項２から７のいずれか一項に記載のアクセサリ。
【請求項９】
前記挿入位置とは前記光軸を中心とした円周方向の位置が異なる誤挿入位置において、前記第１アクセサリ側突出部と前記第２アクセサリ側突出部と前記第３アクセサリ側突出部と前記第４アクセサリ側突出部のうちの少なくとも２つは、前記第１ボディ側突出部と前記第２ボディ側突出部と前記第３ボディ側突出部と前記第４ボディ側突出部のうちの少なくとも２つと当接する請求項８に記載のアクセサリ。
【請求項１０】
前記挿入位置とは前記光軸を中心とした円周方向位置が異なる誤挿入位置において、前記第１アクセサリ側突出部と前記第２アクセサリ側突出部と前記第３アクセサリ側突出部と前記第４アクセサリ側突出部のうちのいずれか１つは、前記ボディ側端子群の前記外周方向に位置する前記第１ボディ側突出部と当接する請求項８または９に記載のアクセサリ。
【請求項１１】
前記挿入位置とは前記光軸を中心とした円周方向の位置が異なる誤挿入位置において、前記アクセサリ側端子群の中心に最も近い前記第１アクセサリ側突出部は、前記第１ボディ側突出部と前記第２ボディ側突出部と前記第３ボディ側突出部と前記第４ボディ側突出部のうちの少なくとも１つと当接する請求項８から１０のいずれか一項に記載のアクセサリ。
【請求項１２】
前記アクセサリ側マウントを前記カメラボディ側から見て、前記第１アクセサリ側突出部と前記第２アクセサリ側突出部と前記第３アクセサリ側突出部と前記第４アクセサリ側突出部との少なくとも一つは、前記円周方向の一端と前記光軸とを結ぶ直線と前記円周方向の他端と前記光軸とを結ぶ直線とのなす中心角度が、前記第１角度より小さい請求項８から１１のいずれか一項に記載のアクセサリ。
【請求項１３】
前記アクセサリは、交換レンズである請求項１から１０のいずれか一項に記載のアクセサリ。
【請求項１４】
カメラボディを横位置に構えた際に上辺および下辺を有する矩形状であって光軸を中心とした被写体光が入射する撮像素子と、前記撮像素子の前記上辺の上部に配置された複数のボディ側端子からなるボディ側端子群と、前記撮像素子および前記ボディ側端子群の外側に配置された前記光軸を中心とする円環状のボディ側マウントと、を備えるカメラボディに対して着脱可能なアクセサリであって、
前記光軸を中心とする円環状であり、前記ボディ側マウントと接触するアクセサリ側マウントと、
前記アクセサリ側マウントの内周縁部から前記光軸方向に延びた円筒部と、
前記円筒部の内側に配置され、前記カメラボディに装着時に前記ボディ側端子と接触する複数のアクセサリ側端子からなるアクセサリ側端子群と、
前記円筒部から前記アクセサリ側マウントの外周方向に向けて突出し、前記光軸を中心とした円周方向に延在する第１アクセサリ側突出部と、
前記円筒部から前記アクセサリ側マウントの外周方向に向けて突出し、前記光軸を中心とした円周方向に延在する第２アクセサリ側突出部と、
前記円筒部から前記アクセサリ側マウントの外周方向に向けて突出し、前記光軸を中心とした円周方向に延在する第３アクセサリ側突出部と、
前記円筒部から前記アクセサリ側マウントの外周方向に向けて突出し、前記光軸を中心とした円周方向に延在する第４アクセサリ側突出部と、
を備え、
前記アクセサリ側マウントを前記カメラボディ側から見て、アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第２アクセサリ側突出部と前記第４アクセサリ側突出部が配置されるアクセサリ。
【請求項１５】
前記アクセサリは、前記第１アクセサリ側突出部から前記第４アクセサリ側突出部が対応する複数のボディ側突出部の間に挿入される挿入位置から、前記第１アクセサリ側突出部から前記第４アクセサリ側突出部がそれぞれ対応する各ボディ側突出部に対向する装着位置まで、前記光軸上の所定位置で前記光軸に略直交する面内において第１方向に第１角度回転させることにより前記カメラボディに装着される請求項１４に記載のアクセサリ。
【請求項１６】
前記挿入位置とは前記光軸を中心とした円周方向の位置が異なる誤挿入位置において、前記第１アクセサリ側突出部と前記第２アクセサリ側突出部と前記第３アクセサリ側突出部と前記第４アクセサリ側突出部のうちの少なくとも２つは、前記複数のボディ側突出部のうちの少なくとも２つと当接する請求項１５に記載のアクセサリ。
【請求項１７】
前記挿入位置とは前記光軸を中心とした円周方向の位置が異なる誤挿入位置において、前記第１アクセサリ側突出部と前記第２アクセサリ側突出部と前記第３アクセサリ側突出部と前記第４アクセサリ側突出部のうちのいずれか１つは、前記複数のボディ側突出部のうち前記ボディ側端子群の上部に位置するボディ側突出部と当接する請求項１５または１６に記載のアクセサリ。
【請求項１８】
前記挿入位置とは前記光軸を中心とした円周方向の位置が異なる誤挿入位置において、前記アクセサリ側端子群の中心に最も近い前記第１アクセサリ側突出部は、前記複数のボディ側突出部のうちの少なくとも１つと当接する請求項１５から１７のいずれか一項に記載のアクセサリ。
【手続補正２】
【補正対象書類名】明細書
【補正対象項目名】０００４
【補正方法】変更
【補正の内容】
【０００４】
発明の第１の態様によるアクセサリは、カメラボディを横位置に構えた際に上辺と下辺および右辺と左辺を有する矩形状であって光軸を中心とした被写体光が入射する撮像素子と、前記撮像素子の前記上辺の上部に配置された複数のボディ側端子からなるボディ側端子群と、前記撮像素子および前記ボディ側端子群の外側に配置された前記光軸を中心とする円環状のボディ側マウントと、前記ボディ側マウントから内径方向に向けて突出する第１ボディ側突出部と、前記ボディ側マウントから内径方向に向けて突出する第２ボディ側突出部と、前記ボディ側マウントから内径方向に向けて突出する第３ボディ側突出部と、前記ボディ側マウントから内径方向に向けて突出する第４ボディ側突出部と、を備え、前記ボディ側マウントをアクセサリ側から見て、前記ボディ側端子群の円周方向の中心および前記光軸を通るボディ側第１直線と前記ボディ側第１直線と前記光軸において直交するボディ側第２直線とで分割される４つの領域に前記第１ボディ側突出部と前記第２ボディ側突出部と前記第３ボディ側突出部と前記第４ボディ側突出部とがそれぞれ配置されるカメラボディに対して着脱可能なアクセサリであって、前記光軸を中心とする円環状であり、前記ボディ側マウントと接触するアクセサリ側マウントと、前記アクセサリ側マウントの内周縁部から前記光軸方向に延びた円筒部と、前記円筒部の内側に配置され、前記カメラボディに装着時に前記ボディ側端子と接触する複数のアクセサリ側端子からなるアクセサリ側端子群と、前記円筒部から前記アクセサリ側マウントの外周方向に向けて突出し、前記光軸を中心とした円周方向に延在する第１アクセサリ側突出部と、前記円筒部から前記アクセサリ側マウントの外周方向に向けて突出し、前記光軸を中心とした円周方向に延在する第２アクセサリ側突出部と、前記円筒部から前記アクセサリ側マウントの外周方向に向けて突出し、前記光軸を中心とした円周方向に延在する第３アクセサリ側突出部と、前記円筒部から前記アクセサリ側マウントの外周方向に向けて突出し、前記光軸を中心とした円周方向に延在する第４アクセサリ側突出部と、を備え、前記アクセサリ側マウントを前記カメラボディ側から見て、前記アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第２アクセサリ側突出部と前記第４アクセサリ側突出部が配置される。
発明の第２の態様によるアクセサリは、カメラボディを横位置に構えた際に上辺および下辺を有する矩形状であって光軸を中心とした被写体光が入射する撮像素子と、前記撮像素子の前記上辺の上部に配置された複数のボディ側端子からなるボディ側端子群と、前記撮像素子および前記ボディ側端子群の外側に配置された前記光軸を中心とする円環状のボディ側マウントと、を備えるカメラボディに対して着脱可能なアクセサリであって、前記光軸を中心とする円環状であり、前記ボディ側マウントと接触するアクセサリ側マウントと、前記アクセサリ側マウントの内周縁部から前記光軸方向に延びた円筒部と、前記円筒部の内側に配置され、前記カメラボディに装着時に前記ボディ側端子と接触する複数のアクセサリ側端子からなるアクセサリ側端子群と、前記円筒部から前記アクセサリ側マウントの外周方向に向けて突出し、前記光軸を中心とした円周方向に延在する第１アクセサリ側突出部と、前記円筒部から前記アクセサリ側マウントの外周方向に向けて突出し、前記光軸を中心とした円周方向に延在する第２アクセサリ側突出部と、前記円筒部から前記アクセサリ側マウントの外周方向に向けて突出し、前記光軸を中心とした円周方向に延在する第３アクセサリ側突出部と、前記円筒部から前記アクセサリ側マウントの外周方向に向けて突出し、前記光軸を中心とした円周方向に延在する第４アクセサリ側突出部と、を備え、前記アクセサリ側マウントを前記カメラボディ側から見て、アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第２アクセサリ側突出部と前記第４アクセサリ側突出部が配置される。
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
被写体光が入射する撮像素子と、カメラボディを横位置に構えた際に前記撮像素子の上部に配置された複数のボディ側端子からなるボディ側端子群と、前記撮像素子および前記ボディ側端子群の外側に配置された光軸を中心とする円環状のボディ側マウントと、前記ボディ側マウントから内側に突出する複数のボディ側突出部と、を備えるカメラボディに対して着脱可能なアクセサリであって、
前記アクセサリに備えられる部材に対して固定され、前記光軸を中心とする円環状であり、前記ボディ側マウントと接触するアクセサリ側マウントと、
前記アクセサリ側マウントの内周縁部から前記光軸方向に延びた円筒部と、
前記円筒部の内側に配置され、前記カメラボディに装着時に前記ボディ側端子と接触する複数のアクセサリ側端子からなるアクセサリ側端子群と、
前記円筒部から外側に突出し、前記光軸を中心とした円周方向に延在する第１アクセサリ側突出部と、
前記円筒部から外側に突出し、前記円周方向に延在する第２アクセサリ側突出部と、
前記円筒部から外側に突出し、前記円周方向に延在する第３アクセサリ側突出部と、
前記円筒部から外側に突出し、前記円周方向に延在する第４アクセサリ側突出部と、
を備え、
前記アクセサリ側マウントを前記カメラボディ側から見て、前記アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第２アクセサリ側突出部と前記第４アクセサリ側突出部が配置され、
前記アクセサリ側第１直線と、前記アクセサリ側第１直線と前記光軸において直交するアクセサリ側第２直線とで分割される４つの領域に、前記第１アクセサリ側突出部の前記円周方向の両端、前記第２アクセサリ側突出部の前記円周方向の両端、前記第３アクセサリ側突出部の前記円周方向の両端、前記第４アクセサリ側突出部の前記円周方向の両端がそれぞれ配置されるアクセサリ。
【請求項２】
前記アクセサリ側端子群は、前記円筒部の一部の領域の内側に配置され、
前記第１アクセサリ側突出部と前記第２アクセサリ側突出部と前記第３アクセサリ側突出部と前記第４アクセサリ側突出部の前記円周方向の端部のうち、前記第１アクセサリ側突出部の一方の端部のみが前記一部の領域の外側に位置する請求項１に記載のアクセサリ。
【請求項３】
前記アクセサリ側端子群は、前記円筒部の一部の領域の内側に配置され、
前記一部の領域の外側の前記円周方向の一方の側には、前記第１アクセサリ側突出部が配置され、
前記一部の領域の外側の前記円周方向の他方の側には、前記第１アクセサリ側突出部から前記第４アクセサリ側突出部が、対応する前記複数のボディ側突出部の間に挿入される挿入位置において、前記複数のボディ側突出部のうち前記ボディ側端子群の中央に最も近い第１ボディ側突出部が挿抜されるアクセサリ側第２挿抜部が配置される請求項１に記載のアクセサリ。
【請求項４】
前記アクセサリ側端子群の前記円周方向の一端と前記光軸とを結ぶ直線と、前記アクセサリ側端子群の前記円周方向の他端と前記光軸とを結ぶ直線とのなす角度は、前記第１アクセサリ側突出部の前記円周方向の一端と前記光軸とを結ぶ直線と前記第１アクセサリ側突出部の前記円周方向の他端と前記光軸とを結ぶ直線とのなす角度と、前記アクセサリ側第２挿抜部の前記円周方向の一端と前記光軸とを結ぶ直線と前記アクセサリ側第２挿抜部の前記円周方向の他端と前記光軸とを結ぶ直線とのなす角度とを合わせた角度より小さい請求項３に記載のアクセサリ。
【請求項５】
前記アクセサリ側マウントを前記カメラボディ側から見て、前記第３アクセサリ側突出部の前記円周方向の一端と前記光軸とを結ぶ直線と前記第３アクセサリ側突出部の前記円周方向の他端と前記光軸とを結ぶ直線とのなす第３中心角度は、前記第１アクセサリ側突出部の前記円周方向の一端と前記光軸とを結ぶ直線と前記第１アクセサリ側突出部の前記円周方向の他端と前記光軸とを結ぶ直線とのなす第１中心角度より大きく、
前記第１中心角度は、前記第４アクセサリ側突出部の前記円周方向の一端と前記光軸とを結ぶ直線と前記第４アクセサリ側突出部の前記円周方向の他端と前記光軸とを結ぶ直線とのなす第４中心角度より大きく、
前記第４中心角度は、前記第２アクセサリ側突出部の前記円周方向の一端と前記光軸とを結ぶ直線と前記第２アクセサリ側突出部の前記円周方向の他端と前記光軸とを結ぶ直線とのなす第２中心角度より大きく、
前記円周方向において、前記第１アクセサリ側突出部、前記第２アクセサリ側突出部、前記第３アクセサリ側突出部および前記第４アクセサリ側突出部の順に配置されている請求項１から４のいずれか一項に記載のアクセサリ。
【請求項６】
前記第２アクセサリ側突出部の前記円周方向の長さは、前記複数のボディ側突出部のうち前記ボディ側端子群の中央に最も近い第１ボディ側突出部と、前記複数のボディ側突出部のうち前記中央に２番目に近い第２ボディ側突出部との間の前記円周方向の長さよりも短く、
前記第１アクセサリ側突出部と前記第３アクセサリ側突出部と前記第４アクセサリ側突出部のそれぞれの前記円周方向の長さは、前記第１ボディ側突出部と前記第２ボディ側突出部との間の前記円周方向の長さよりも長い請求項１から５のいずれか一項に記載のアクセサリ。
【請求項７】
前記アクセサリは、前記第１アクセサリ側突出部から前記第４アクセサリ側突出部が対応する前記複数のボディ側突出部の間に挿入される挿入位置から、前記第１アクセサリ側突出部から前記第４アクセサリ側突出部がそれぞれ対応する各ボディ側突出部に対向する装着位置まで、前記光軸上の所定位置で前記光軸に略直交する面内において第１方向に第１角度回転することにより前記カメラボディに装着される請求項１から６のいずれか一項に記載のアクセサリ。
【請求項８】
前記挿入位置とは前記光軸を中心とした円周方向の位置が異なる誤挿入位置において、前記第１アクセサリ側突出部と前記第２アクセサリ側突出部と前記第３アクセサリ側突出部と前記第４アクセサリ側突出部のうちの少なくとも２つは、前記複数のボディ側突出部のうちの少なくとも２つと当接する請求項７に記載のアクセサリ。
【請求項９】
前記挿入位置とは前記光軸を中心とした円周方向の位置が異なる誤挿入位置において、前記第１アクセサリ側突出部と前記第２アクセサリ側突出部と前記第３アクセサリ側突出部と前記第４アクセサリ側突出部のうちのいずれか１つは、前記複数のボディ側突出部のうち前記ボディ側端子群の中央に最も近いボディ側突出部と当接する請求項７または８に記載のアクセサリ。
【請求項１０】
前記アクセサリ側マウントを前記カメラボディ側から見て、前記第１アクセサリ側突出部と前記第２アクセサリ側突出部と前記第３アクセサリ側突出部と前記第４アクセサリ側突出部との少なくとも一つは、前記円周方向の一端と前記光軸とを結ぶ直線と前記円周方向の他端と前記光軸とを結ぶ直線とのなす中心角度が、前記第１角度より小さい請求項７から９のいずれか一項に記載のアクセサリ。
【請求項１１】
前記第１アクセサリ側突出部の前記円周方向の中心と前記第３アクセサリ側突出部の前記円周方向の中心との少なくとも一方は前記アクセサリ側第３直線と異なる位置に配置される請求項１から１０のいずれか一項に記載のアクセサリ。
【請求項１２】
前記第２アクセサリ側突出部の前記円周方向の中心と前記第４アクセサリ側突出部の前記円周方向の中心との少なくとも一方は前記アクセサリ側第４直線と異なる位置に配置される請求項１から１１のいずれか一項に記載のアクセサリ。
【請求項１３】
前記アクセサリ側マウントを前記カメラボディ側から見て、前記第１アクセサリ側突出部の前記円周方向の一端と前記光軸とを結ぶ直線と前記第１アクセサリ側突出部の前記円周方向の他端と前記光軸とを結ぶ直線とのなす第１中心角度と、前記第２アクセサリ側突出部の前記円周方向の一端と前記光軸とを結ぶ直線と前記第２アクセサリ側突出部の前記円周方向の他端と前記光軸とを結ぶ直線とのなす第２中心角度と、前記第３アクセサリ側突出部の前記円周方向の一端と前記光軸とを結ぶ直線と前記第３アクセサリ側突出部の前記円周方向の他端と前記光軸とを結ぶ直線とのなす第３中心角度と、前記第４アクセサリ側突出部の前記円周方向の一端と前記光軸とを結ぶ直線と前記第４アクセサリ側突出部の前記円周方向の他端と前記光軸とを結ぶ直線とのなす第４中心角度とは、少なくとも一つの中心角度が他の中心角度とは異なる請求項１から１２のいずれか一項に記載のアクセサリ。
【請求項１４】
前記複数のボディ側突出部は、前記ボディ側マウントから内側に突出する第１ボディ側突出部と、前記ボディ側マウントから内側に突出する第２ボディ側突出部と、前記ボディ側マウントから内側に突出する第３ボディ側突出部と、前記ボディ側マウントから内側に突出する第４ボディ側突出部とを備え、
前記ボディ側マウントを前記アクセサリ側から見て、前記ボディ側端子群の円周方向の中心および前記光軸を通るボディ側第１直線と前記ボディ側第１直線と前記光軸において直交するボディ側第２直線とで分割される４つの領域に前記第１ボディ側突出部と前記第２ボディ側突出部と前記第３ボディ側突出部と前記第４ボディ側突出部とがそれぞれ配置される請求項１から１３のいずれか一項に記載のアクセサリ。
【請求項１５】
前記複数のボディ側突出部のうち前記ボディ側端子群の中央に最も近い第１ボディ側突出部は、前記複数のボディ側突出部のうち前記円周方向における長さが最も長く、
前記第１アクセサリ側突出部から前記第４アクセサリ側突出部のうち前記アクセサリ側端子群の中央に最も近い第１アクセサリ側突出部は、前記第１アクセサリ側突出部から前記第４アクセサリ側突出部のうち前記円周方向における長さが二番目に長い請求項１４に記載のアクセサリ。
【請求項１６】
前記アクセサリは、交換レンズである請求項１から１５のいずれか一項に記載のアクセサリ。
【手続補正２】
【補正対象書類名】明細書
【補正対象項目名】０００４
【補正方法】変更
【補正の内容】
【０００４】
発明の第１の態様によるアクセサリは、被写体光が入射する撮像素子と、カメラボディを横位置に構えた際に前記撮像素子の上部に配置された複数のボディ側端子からなるボディ側端子群と、前記撮像素子および前記ボディ側端子群の外側に配置された光軸を中心とする円環状のボディ側マウントと、前記ボディ側マウントから内側に突出する複数のボディ側突出部と、を備えるカメラボディに対して着脱可能なアクセサリであって、前記アクセサリに備えられる部材に対して固定され、前記光軸を中心とする円環状であり、前記ボディ側マウントと接触するアクセサリ側マウントと、前記アクセサリ側マウントの内周縁部から前記光軸方向に延びた円筒部と、前記円筒部の内側に配置され、前記カメラボディに装着時に前記ボディ側端子と接触する複数のアクセサリ側端子からなるアクセサリ側端子群と、前記円筒部から外側に突出し、前記光軸を中心とした円周方向に延在する第１アクセサリ側突出部と、前記円筒部から外側に突出し、前記円周方向に延在する第２アクセサリ側突出部と、前記円筒部から外側に突出し、前記円周方向に延在する第３アクセサリ側突出部と、前記円筒部から外側に突出し、前記円周方向に延在する第４アクセサリ側突出部と、を備え、前記アクセサリ側マウントを前記カメラボディ側から見て、前記アクセサリ側端子群の中心および前記光軸を通るアクセサリ側第１直線と前記光軸において略４５度で交差するアクセサリ側第３直線上に前記第１アクセサリ側突出部と前記第３アクセサリ側突出部とが配置され、前記アクセサリ側第３直線と前記光軸で直交するアクセサリ側第４直線上に前記第２アクセサリ側突出部と前記第４アクセサリ側突出部が配置され、前記アクセサリ側第１直線と、前記アクセサリ側第１直線と前記光軸において直交するアクセサリ側第２直線とで分割される４つの領域に、前記第１アクセサリ側突出部の前記円周方向の両端、前記第２アクセサリ側突出部の前記円周方向の両端、前記第３アクセサリ側突出部の前記円周方向の両端、前記第４アクセサリ側突出部の前記円周方向の両端がそれぞれ配置される。